(57)【特許請求の範囲】
【請求項１】
ユーザ機器（ＵＥ）からの、各キャリアつき１つの要求電力ヘッドルームの、複数のキャリアに対する要求電力ヘッドルームを受信することと、ここで、各要求電力ヘッドルームは、関連づけられたキャリアでの送信のために前記ＵＥによって使用可能な送信電力を示す、
前記複数のキャリアに対する再分配電力ヘッドルームを得るために、前記複数のキャリアにわたって、前記要求電力ヘッドルームを再分配することと、
前記複数のキャリアに対する前記再分配電力ヘッドルームに基づいて、アップリンクのデータ送信に前記ＵＥをスケジューリングすることと、
を備える、無線通信システムにおいてデータ送信をスケジューリングする方法。
【請求項２】
前記複数のキャリアに対する前記要求電力ヘッドルームは、前記複数のキャリアにわたって均等に前記ＵＥのための最大送信電力を分配することにより、前記ＵＥによって得られる、
請求項１に記載の方法。
【請求項３】
前記要求電力ヘッドルームを前記再分配することは、前記複数のキャリアにわたって不均等に前記要求電力ヘッドルームを再分配することを備える、
請求項１に記載の方法。
【請求項４】
前記要求電力ヘッドルームを前記再分配することは、前記複数のキャリアのチャネル状況に基づいて前記複数のキャリアに前記要求電力ヘッドルームを再分配することを備え、より良好なチャネル状況を有するキャリアには、より高い電力ヘッドルームが割り当てられる、
請求項１に記載の方法。
【請求項５】
前記要求電力ヘッドルームを前記再分配することは、前記複数のキャリアの各々の負荷およびターゲット負荷に基づいて、前記複数のキャリアに前記要求電力ヘッドルームを再分配することを備える、
請求項１に記載の方法。
【請求項６】
前記要求電力ヘッドルームを前記再分配することは、ウォーターフィリングに基づいて前記複数のキャリアにわたって前記要求電力ヘッドルームを再分配することを備える、請求項１に記載の方法。
【請求項７】
前記要求電力ヘッドルームを前記再分配することは、データレート対電力ヘッドルームの容量関数にさらに基づいて、前記複数のキャリアにわたって前記要求電力ヘッドルームを再分配することを備える、
請求項６に記載の方法。
【請求項８】
前記容量関数は、第１の離散関数によって近似される、または、前記容量関数の偏導関数が第２の離散関数によって近似される、または、その両方である、
請求項７に記載の方法。
【請求項９】
前記要求電力ヘッドルームを前記再分配することは、
ウォーターフィリングのための状況のセットに基づいて、複数の可能性のある割り当てのうちの１つを選択することと、
前記選択された割り当てにしたがって、前記複数のキャリアに前記要求電力ヘッドルームを再分配することと、
を備える、請求項６に記載の方法。
【請求項１０】
前記要求電力ヘッドルームを前記再分配することは、グリーディフィリングに基づいて、前記複数のキャリアにわたって前記要求電力ヘッドルームを再分配することを備える、請求項１に記載の方法。
【請求項１１】
前記要求電力ヘッドルームを前記再分配することは、
前記複数のキャリアのチャネル状況に基づいて、最良から最悪まで、前記複数のキャリアを順序づけることと、
前記複数のキャリアのうちの最良のキャリアに始まり、電力ヘッドルームを割り当てるために、一度に１つのキャリアを選択することと、
前記選択されたキャリアに対する再分配電力ヘッドルームとして、最大許容電力ヘッドルームを割り当てることと、
前記要求電力ヘッドルームが完全に使用されるまで、または、すべてのサブキャリアが電力ヘッドルームを割り当てられるまで、前記選択することおよび前記割り当てることを繰り返すことと
を備える、請求項１に記載の方法。
【請求項１２】
前記要求電力ヘッドルームを前記再分配することは、前記システムによってサポートされる最高データレートでの最大電力ヘッドルームに、各キャリアに対する再分配電力ヘッドルームを制限することを備える、
請求項１に記載の方法。
【請求項１３】
前記要求電力ヘッドルームを前記再分配することは、前記キャリアでの利用可能な負荷によって決定された最大電力ヘッドルームに、各キャリアに対する再分配電力ヘッドルームを制限することを備える、
請求項１に記載の方法。
【請求項１４】
前記ＵＥによって送信するためのデータを示す待ち行列情報を受信することをさらに備え、
前記ＵＥは、前記待ち行列情報にさらに基づいて前記アップリンクでのデータ送信にスケジューリングされる、
請求項１に記載の方法。
【請求項１５】
データ送信に前記ＵＥを前記スケジューリングすることは、
前記複数のキャリアの各々について別々にスケジューリングを行なうことと、
少なくとも１つのキャリアの各々に、前記キャリアに対する再分配電力ヘッドルームに基づいて許可電力ヘッドルームを割り当てることと、
を備える、請求項１に記載の方法。
【請求項１６】
データ送信に前記ＵＥを前記スケジューリングすることは、
前記アップリンクでのデータ送信を要求する複数のＵＥを、前記複数のＵＥの優先順位に基づいて並べ替えることと、ここで、前記複数のＵＥは、前記ＵＥを含む、
前記複数のＵＥのうちの最も高い優先順位のＵＥに始まり、スケジューリングのために一度に１つのＵＥを選択することと、
前記選択されたＵＥに、前記複数のキャリアのうちの少なくとも１つに対する少なくとも１つの許可電力ヘッドルームを割り当てることと、
を備える、請求項１に記載の方法。
【請求項１７】
前記再分配することおよび前記スケジューリングすることは、前記アップリンクでのデータ送信を要求する複数のＵＥのために複数の反復にわたって行なわれ、前記複数のＵＥは、前記ＵＥを含み、各反復で、前記再分配することは、前記複数のキャリアの各々のための利用可能な負荷に基づいて行なわれ、前記スケジューリングすることは、前記反復において最も高い優先順位のＵＥのために行なわれる、
請求項１に記載の方法。
【請求項１８】
データ送信に前記ＵＥを前記スケジューリングすることは、前記複数のキャリアに対する前記再分配電力ヘッドルームに基づいて前記ＵＥに前記複数のキャリアのうちの少なくとも１つに対する少なくとも１つの許可電力ヘッドルームを割り当てることを備え、キャリアに対する許可電力ヘッドルームは、前記キャリアに対する要求電力ヘッドルームよりも高い、
請求項１に記載の方法。
【請求項１９】
ユーザ機器（ＵＥ）からの、各キャリアにつき１要求電力ヘッドルームの、複数のキャリアに対する要求電力ヘッドルームを受信するための手段と、ここで、各要求電力ヘッドルームは、関連づけられたキャリアでの送信のために前記ＵＥによって使用可能な送信電力を示す、
前記複数のキャリアに対する再分配電力ヘッドルームを得るために前記複数のキャリアにわたって前記要求電力ヘッドルームを再分配するための手段と、
前記複数のキャリアに対する前記再分配電力ヘッドルームに基づいて、アップリンクでのデータ送信に前記ＵＥをスケジューリングするための手段と、
を備える、無線通信システムにおいてデータ送信をスケジューリングするための装置。
【請求項２０】
前記要求電力ヘッドルームを前記再分配するための手段は、前記複数のキャリアのチャネル状況に基づいて前記複数のキャリアに前記要求電力ヘッドルームを再分配するための手段を備え、より良好なチャネル状況を有するキャリアには、より高い電力ヘッドルームが割り当てられる、
請求項１９に記載の装置。
【請求項２１】
前記要求電力ヘッドルームを前記再分配するための手段は、ウォーターフィリングまたはグリーディフィリングに基づいて、前記複数のキャリアにわたって前記要求電力ヘッドルームを再分配するための手段を備える、
請求項１９に記載の装置。
【請求項２２】
前記要求電力ヘッドルームを前記再分配するための手段は、各キャリアに対する再分配電力ヘッドルームを、前記システムによってサポートされる最高データレートでの最大電力ヘッドルームに、または、前記キャリアでの利用可能な負荷によって決定された最大電力ヘッドルームに、または、その両方に、制限するための手段を備える、請求項１９に記載の装置。
【請求項２３】
ユーザ機器（ＵＥ）からの、各キャリアにつき１つの要求電力ヘッドルームの、複数のキャリアに対する要求電力ヘッドルームを受信するように、ここで、各要求電力ヘッドルームは、関連づけられたキャリアでの送信のために前記ＵＥによって使用可能な送信電力を示す、前記複数のキャリアに対する再分配電力ヘッドルームを得るために前記複数のキャリアにわたって前記要求電力ヘッドルームを再分配するように、前記複数のキャリアに対する前記再分配電力ヘッドルームに基づいてアップリンクでのデータ送信に前記ＵＥをスケジューリングするように、構成された少なくとも１つのプロセッサ
を備える、無線通信システムにおいてデータ送信をスケジューリングするための装置。
【請求項２４】
前記少なくとも１つのプロセッサは、前記複数のキャリアのチャネル状況に基づいて前記複数のキャリアに前記要求電力ヘッドルームを再分配するように構成され、より良好なチャネル状況を有するキャリアには、より高い電力ヘッドルームが割り当てられる、
請求項２３に記載の装置。
【請求項２５】
前記少なくとも１つのプロセッサは、ウォーターフィリングまたはグリーディフィリングに基づいて、前記複数のキャリアにわたって前記要求電力ヘッドルームを再分配するように構成されている、
請求項２３に記載の装置。
【請求項２６】
前記少なくとも１つのプロセッサは、各キャリアに対する再分配電力ヘッドルームを、前記システムによってサポートされる最高データレートでの最大電力ヘッドルームに、または、前記キャリアでの利用可能な負荷によって決定された最大電力ヘッドルームに、または、その両方に、制限するように構成されている、
請求項２３に記載の装置。
【請求項２７】
ユーザ機器（ＵＥ）からの、各キャリアにつき１要求電力ヘッドルームの、複数のキャリアに対する要求電力ヘッドルームを受信するように、少なくとも１つのコンピュータにさせるためのコードであって、各要求電力ヘッドルームは、関連づけられたキャリアでの送信のために前記ＵＥによって使用可能な送信電力を示す、コードと、
前記複数のキャリアに対する再分配電力ヘッドルームを得るために前記複数のキャリアにわたって前記要求電力ヘッドルームを再分配するように、前記少なくとも１つのコンピュータにさせるためのコードと、
前記複数のキャリアに対する前記再分配電力ヘッドルームに基づいて、アップリンクでのデータ送信に前記ＵＥをスケジューリングするように、前記少なくとも１つのコンピュータにさせるためのコードと、
を備えるコンピュータプログラム。
【発明の詳細な説明】
【関連出願】
【０００１】
本願は、２００９年１月１４日に出願された「無線通信における要求シグナリングをスケジューリングするための方法および装置（METHOD AND APPARATUS FOR SCHEDULING REQUEST SIGNALING IN WIRELESS COMMUNICATIONS）」と題する米国仮出願番号第６１／１４４，６３９号と、２００９年１月１４日に出願された「無線通信におけるスケジューリング方法および装置（METHOD AND APPARATUS FOR SCHEDULING IN WIRELESS COMMUNICATIONS）」と題する米国仮出願番号第６１／１４４，５９３号と、２００９年３月１７日に出願された「複数のキャリアでのアップリンクスケジューリング（UPLINK SCHEDULING IN MUTIPLE CARRIERS）」と題する米国仮出願番号第６１／１６０，９７３号の優先権を主張し、すべてが、この譲受人に譲渡され、引用によってここに組み込まれる。
【技術分野】
【０００２】
本開示は、概して通信に関し、より詳細には、無線通信システムでのデータ伝送をスケジューリングするための手法に関する。
【背景技術】
【０００３】
無線通信システムは、音声、映像、パケットデータ、メッセージング、同報通信、等のさまざまな通信コンテンツを提供するために広く展開されている。これらの無線システムは、利用可能なシステムリソースを共有することにより複数のユーザをサポートすることが可能な多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムを含む。
【０００４】
無線通信システムは、システム容量を増やすために複数のキャリアでの動作をサポートすることができる。各キャリアは、特定の中心周波数と特定の帯域幅を持つことができ、データ、制御情報、パイロット、等を送るために使用されることができる。異なるキャリアは、異なるチャネル状況を観察することができ、異なる伝送容量を有することができる。良好な性能が達成できるように、複数のキャリアでのデータ伝送をサポートすることが所望され得る。
【発明の概要】
【０００５】
無線通信システムにおける複数のキャリアでのデータ伝送をスケジューリングするための手法が、ここに説明される。１つの設計において、スケジューラは、ユーザ機器（ＵＥ）から、各キャリアにつき１つの要求電力ヘッドルームの、複数のキャリアに対する要求電力ヘッドルーム（power headroom）を受信することができる。各要求電力ヘッドルームは、関連づけられたキャリアでの送信のためにＵＥによって使用可能な送信電力を示すことができる。ＵＥは、さらに複数のキャリアにわたって均等にＵＥのための最大送信電力を分配することによって、複数のキャリアに対する要求電力ヘッドルームを得ることができる。スケジューラは、さらにＵＥによって送信するためのデータを示す待ち行列情報を受信することができる。
【０００６】
スケジューラは、複数のキャリアに対する再分配電力ヘッドルームを得るために、複数のキャリアにわたって要求電力ヘッドルームを再分配することができる。スケジューラは、ウォーターフィリング（water filling）、グリーディフィリング（greedy filling）、または他のある方式に基づいて、要求電力ヘッドルームを再分配することができる。スケジューラは、複数のキャリアに対する（要求電力ヘッドルームではなく）再分配電力ヘッドルームに基づいて、アップリンクデータ送信にＵＥをスケジューリングすることができる。スケジューラは、さらにＵＥの優先順位を決定するために使用されることができる待ち行列情報に基づいて、ＵＥをスケジューリングすることができる。スケジューラは、少なくとも１つのキャリアに対する少なくとも１つの許可電力ヘッドルームを得ることができる。スケジューラは、ＵＥに、少なくとも１つの許可電力ヘッドルームを備える少なくとも１つのリソース許可を送ることができる。ＵＥは、少なくとも１つの許可電力ヘッドルームにしたがって、少なくとも１つのキャリアで、データを送ることができる。
【０００７】
開示のさまざまな態様および特徴が、以下にさらに詳細に説明される。
【図面の簡単な説明】
【０００８】
【図１】無線通信システムを示す図である。
【図２】１つのキャリアに対するリソース要求を示す図である。
【図３】複数のキャリアでのデータ伝送をスケジューリングするためのプロセスを示す図である。
【図４】複数のキャリアでデータを伝送するためのプロセスを示す図である。
【図５】複数のキャリアでのデータ伝送をスケジューリングするための別のプロセスを示す図である。
【図６】ＵＥおよびノードＢのブロック図である。
【詳細な説明】
【０００９】
ここに説明される手法は、ＣＤＭＡ、ＴＤＭＡ、ＦＤＭＡ、ＯＦＤＭＡ、ＳＣ−ＦＤＭＡ、および他のシステムのようなさまざまな無線通信システムのために使用されることができる。「システム」および「ネットワーク」という用語は、しばしば互換的に使用される。ＣＤＭＡシステムは、ユニバーサル地上無線アクセス（ＵＴＲＡ）、ｃｄｍａ２０００、等といった無線技術を実現することができる。ＵＴＲＡは、広帯域ＣＤＭＡ（ＷＣＤＭＡ）およびＣＤＭＡの他のバリエーションを含む。ｃｄｍａ２０００は、ＩＳ−２０００、ＩＳ−９５、およびＩＳ−８５６規格をカバーする。ＴＤＭＡシステムは、移動体通信のための世界システム（ＧＳＭ（登録商標））のような無線技術を実現することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等といった無線技術を実現することができる。ＵＴＲＡおよびＥ−ＵＴＲＡは、ユニバーサル移動電話システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織による文書で説明されている。ｃｄｍａ２０００およびＵＭＢは、「第３世代パートナーシッププロジェクト２」（３ＧＰＰ２）と称する組織による文書で説明されている。ここに説明される手法は、上述されたシステムおよび無線技術だけでなく、他のシステムおよび無線技術にも使用できる。明確にするために、技術のある特定の態様は、ＷＣＤＭＡについて以下に説明され、ＷＣＤＭＡの専門用語が、以下の説明のほとんどで使用されている。
【００１０】
図１は、多数のノードＢおよび他のネットワークエンティティを含むことができる、無線通信システム１００を示している。簡潔にするために、１つのノードＢ１２０と、１つの無線ネットワーク制御装置（ＲＮＣ）１３０のみが、図１に示されている。ノードＢは、ＵＥと通信する局であることができ、進化型ノードＢ（ｅＮＢ）、基地局、アクセスポイント、等と呼ぶこともできる。ノードＢは、特定の地理的エリアに通信カバレッジを提供できる。システム容量を向上させるために、ノードＢのカバレッジエリア全体は、複数の（たとえば、３つの）より小さいエリアに分割できる。より小さいエリアの各々は、各ノードＢサブシステムによってサービスされることができる。３ＧＰＰにおいて、「セル」という用語は、ノードＢの最小カバレッジエリアおよび／またはこのカバレッジエリアにサービスするノードＢサブシステムを呼ぶことができる。ＲＮＣ１３０は、ノードＢのセットに結合でき、これらのノードＢに調整および制御を提供できる。
【００１１】
ＵＥ１１０は、システム中に分散した多数のＵＥの１つであることができる。ＵＥ１１０は、さらに固定であることも可動であることができ、移動局、端末、アクセス端末、加入者ユニット、局、等と呼ぶことができる。ＵＥ１１０は、携帯電話、携帯情報端末（ＰＤＡ）、無線モデム、無線通信デバイス、ハンドへルドデバイス、ラップトップコンピュータ、コードレス電話、無線ローカルループ（ＷＬＬ）局、等であることができる。ＵＥ１１０は、ダウンリンクおよびアップリンクでノードＢ１２０と通信できる。ダウンリンク（またはフォワードリンク）は、ノードＢ１２０からＵＥ１１０への通信リンクを言い、アップリンク（またはリバースリンク）は、ＵＥ１１０からノードＢ１２０への通信リンクを言う。
【００１２】
システムは、アップリンクでの複数（Ｋ個）のキャリアでのデータ送信をサポートすることができる。１つ以上のＵＥが、任意の所与の瞬間の各キャリアでのアップリンクデータ送信にスケジューリングされることができる。所与のＵＥは、利用可能なシステムリソース、ＵＥによって送るためのデータ量、ＵＥの優先順位、ＵＥのサービス品質（ＱｏＳ）要件、等といったさまざまなファクタによって、任意の所与の瞬間のＫ個に及ぶキャリアでのアップリンクデータ送信にスケジューリングされることができる。
【００１３】
図１は、アップリンクでの複数のキャリアでの例示的なデータ送信を示している。ＵＥ１１０は、送るためのデータを有することができ、Ｋ個のキャリアの各々に対するリソース要求を送ることができる。リソース要求は、さらにアップリンク要求、スケジューリング要求、スケジューリング情報（ＳＩ）メッセージ、等と呼ばれることができる。各キャリアに対するリソース要求は、要求電力ヘッドルーム、待ち行列情報、および／または、キャリアでのデータ送信にＵＥをスケジューリングするために使用できる他の情報を伝達することができる。キャリアに対する要求電力ヘッドルームは、ＵＥ１１０がキャリアのために使用できる送信電力量を示すことができる。待ち行列情報は、さらにＵＥ１１０によって送るためのデータ量を示すことができ、バッファ情報と呼ばれることができる。
【００１４】
ノードＢ１２０は、ＵＥ１１０からすべてのＫ個のキャリアに対するリソース要求を受信することができ、各キャリアに対するリソース要求を許可または拒否することができる。ノードＢ１２０は、リソース要求が許可された各キャリアに対するリソース許可を送ることができる。リソース許可は、さらにリソース割り当て、絶対許可（absolute grant）、アップリンク許可、等と呼ばれることができる。各キャリアに対するリソース許可は、許可電力ヘッドルーム、選択されたトランスポートフォーマット、等を伝達することができる。トランスポートフォーマットは、符号化方式および／または符号レート、変調方式、伝送ブロックサイズ、等に関連づけられることができる。トランスポートフォーマットは、さらにレート、データレート、パケットフォーマット、変調および符号化方式（ＭＣＳ）、等と呼ばれることができる。ＵＥ１１０は、そのキャリアに対するリソース許可にしたがって、各キャリアでデータを送ることができる。
【００１５】
ジョイントスケジューラ（joint scheduler）または分配スケジューラが、アップリンクのために使用できる。ジョイントスケジューラは、すべてのＵＥから、Ｋ個のキャリアすべてに対するリソース要求を受信し、受信されたすべてのリソース要求に基づいて、Ｋ個のキャリアすべてに対するスケジューリングを合同で（jointly）行い、全般的な良好な性能が達成できるように各キャリアに対し、リソースを許可することができる。許可リソースは、許可電力ヘッドルーム、データレート、等によって与えられることができる。分配スケジューラは、すべてのＵＥから、各キャリアに対するリソース要求を受信し、各キャリアに対するスケジューリングを独立して行い、そのキャリアに対する受信されたリソース要求に基づいて、各キャリアに対し、リソースを許可することができる。
【００１６】
ＵＥ１１０は、分配スケジューラに、各キャリアに対する別個のリソース要求を送ることができる。これは、分配スケジューラが各キャリアでのアップリンクデータ送信のためにＵＥ１１０をスケジューリングすることができるだろう。ＵＥ１１０は、さらにジョイントスケジューラに、各キャリアに対する別個のリソース要求を送ることができる。この場合、ジョイントスケジューラは、すべてのキャリアに対するリソース要求を組み合わせることができ、各リソース要求を許可または拒否することができる。ジョイントスケジューラは、ＵＥ１１０によって要求データレートとは異なることができるデータレートを許可することができる。たとえば、許可データレートは、いくつかのキャリアに対する要求データレートより高いことができ、他のいくつかのキャリアに対する要求データレートより低いことができる。しかしながら、合計の許可データレートは、合計の要求データレート以下になることができる。ＵＥ１１０は、以下に説明されるように、Ｋ個のキャリアに対するリソース要求を生成することができる。
【００１７】
ＵＥ１１０は、ＵＥ１１０のピーク送信電力と、ＵＥ１１０の電力増幅器に対するターゲットバックオフとに基づいて決定されることができる、最大送信電力Ｐmaxを有することができる。電力増幅器は、ピーク送信電力で送信可能であることができる。しかしながら、ＵＥ１１０によって送信されるアップリンク信号は、特定のピーク対平均電力比（ＰＡＰＲ：peak-to-average-power ratio）によって定量化されることができる、時間可変エンベロープ（time-varying envelope）を有することができる。所望されない相互変調歪みを生成し得るアップリンク信号におけるピークをクリッピングすることを避けるために、電力増幅器は、ターゲットバックオフだけ、ピーク送信電力を下回る、または、上回ることができる平均送信電力で動作されることができる。
【００１８】
ＵＥ１１０は、各キャリアでパイロットおよびオーバーヘッド情報を送るためにその送信電力のいくらかを使用することができる。そして、ＵＥ１１０は、Ｋ個のキャリアでのデータ送信のための利用可能な合計送信電力Ｐａｖａｉｌを有することができる。利用可能な合計送信電力Ｐａｖａｉｌは、次のように表すことができる。
【数１】
0005313365.tif 000002
【００１９】
ここで、Ｐpilot,kは、キャリアｋでのパイロットのための送信電力であり、  
Ｐoh,kは、キャリアｋでのオーバーヘッド情報のための送信電力である。
【００２０】
ＵＥ１１０は、さまざまな方法でＫ個のキャリアにわたって最大送信電力または利用可能な合計送信電力を分配することができる。第１の設計において、ＵＥ１１０は、以下のように、Ｋ個のキャリアにわたって均等に最大送信電力を分配することができる。
【数２】
0005313365.tif 000003
【００２１】
ここで、Ｐkは、キャリアｋに対する割り当て送信電力である。第１の設計では、キャリアｋでのデータ送信のための利用可能な送信電力は、
【数３】
0005313365.tif 000004
【００２２】
として与えられることができる。
【００２３】
第２の設計において、ＵＥ１１０は、以下のように、Ｋ個のキャリアにわたって均等に利用可能な合計送信電力を分配することができる。
【数４】
0005313365.tif 000005
【００２４】
第２の設計では、各キャリアｋでのデータ送信のための利用可能送信電力は、キャリアｋに対する割り当て送信電力と等しいことができ、すなわち、Ｐavail,k＝Ｐkである。
【００２５】
第１および第２の設計では、ＵＥ１１０は、各サブキャリアに対する割り当て送信電力を、キャリアｋでシステムによりサポートされる最高データレートを達成するために必要とされる送信電力であることができるＰmax,kに、制限することができる。Ｐmax,kは、すべてのＫ個のキャリアで同一であることも、または、異なるキャリアで異なることもできる。
【００２６】
第３の設計において、ＵＥ１１０は、グリーディフィリングに基づいて、Ｋ個のキャリアにわたり、利用可能な合計送信電力を分配することができる。この設計において、Ｋ個のキャリアは、それらのチャネル状況に基づいて、最良から最悪まで順序づけられることができる。チャネル状況は、以下に説明されるように定量化されることができる。順序づけのあと、キャリア１が最良のキャリアであることができ、キャリアＫが最悪のキャリアであることができる。Ｋ個のキャリアは、さらに所定の指定またはいくつかの他の基準に基づいて順序づけられることができる。任意のケースにおいて、ＵＥ１１０は、最良のキャリアに始まり、一度に１つのキャリアずつ、Ｋ個の順序づけられたキャリアに、利用可能な合計送信電力を分配することができる。送信電力割り当てのために選択された所与のキャリアｋについて、ＵＥ１１０は、利用可能な送信電力が不十分でない限り、Ｐk＝ｍｉｎ｛Ｐavail，Ｐmax,k｝となるように、選択されたキャリアにＰmax,kを割り当てることができる。ＵＥ１１０は、選択されたキャリアに送信電力を割り当てた後、Ｐavail＝Ｐavail−Ｐkとなるように、利用可能な合計送信電力を更新することができる。そして、ＵＥ１１０は、次のキャリアに利用可能な合計送信電力を割り当てることができる。ＵＥ１１０は、利用可能な合計送信電力のすべてを使い切るまで、または、すべてのＫ個のキャリアに送信電力が割り当てられるまで、このプロセスを繰り返すことができる。
【００２７】
第４の設計において、ＵＥ１１０は、ウォーターフィリングに基づいて、Ｋ個のキャリアにわたり、不均等に利用可能な合計送信電力を分配することができる。Ｋ個のキャリアは、異なるチャネル状況を観察することができ、異なる受信信号品質を有することができる。受信信号品質は、信号対雑音干渉比（ＳＩＮＲ）、チップあたりエネルギー対合計雑音比（Ｅc／Ｎt：energy-per-chip-to-total-noise ratio）、キャリア対干渉比（Ｃ／Ｉ）、等によって定量化されることができる。ＵＥ１１０は、Ｋ個のキャリアの合計のデータレートが最大となるように、ウォーターフィリングに基づいて、Ｋ個のキャリアに利用可能な合計送信電力を分配することができる。ウォーターフィリングが、以下にさらに詳細に説明される。
【００２８】
ＵＥ１１０は、さらに他の方法でＫ個のキャリアにわたって最大の送信電力または利用可能な合計送信電力を分配することができる。すべての設計で、ＵＥ１１０は、各キャリアに対する要求電力ヘッドルームを、そのキャリアに対する割り当て送信電力に基づいて、計算することができる。
【数５】
0005313365.tif 000006
【００２９】
ここで、Ｔ２Ｐreq,kは、線形ユニットにおけるキャリアｋに対する要求電力ヘッドルームであり、
βreq,kは、デシベル（ｄＢ）でのキャリアｋに対する要求電力ヘッドルームである。
【００３０】
簡潔にするために、式（４）および（５）は、スケーリングおよび量子化効果を省略している。Ｔ２Ｐreq,kは、以下に説明される計算のために使用されることができる。βreq,kは、ノードＢ１２０にＵＥ１１０によって送られることができる。
【００３１】
式（４）に示したように、電力ヘッドルームは、トラフィック対パイロット比（Ｔ２Ｐ）によって与えられることができる。各キャリアでのパイロット送信電力は、チャネル状況を明らかにするために、および、所望のレベルの性能、たとえばターゲットパケット誤り率（ＰＥＲ）を得るために、電力制御によって調整されることができる。各キャリアに対する電力ヘッドルームは、このようにして、キャリアのチャネル状況を伝達することができる。一般的に、電力ヘッドルームは、送信のために使用できる送信電力量を示す任意の情報、および／または、チャネル状況を示す情報を備えることができる。Ｔ２Ｐは、１つの例示的なタイプの電力ヘッドルームのための情報であることができる。他のタイプの電力ヘッドルームのための情報は、さらに使用されることができる。
【００３２】
図２は、１つのキャリアｋに対するリソース要求２１０の設計を示す。図２に示した設計において、リソース要求２１０は、キャリアｋに対する要求電力ヘッドルームのためのフィールド２１２と、ＵＥ１１０の合計のバッファ状態のためのフィールド２１４と、最も高い優先順位の論理チャネルの識別（ＩＤ）のためのフィールド２１６と、最も高い優先順位の論理チャネルのバッファ状態のためのフィールド２１８とを含む。ＵＥ１１０は、データを搬送するための１つ以上の論理チャネルを有することができる。論理チャネルは、論理チャネルで送られるデータの要件に基づいて、異なる優先順位を割り当てられることができる。最も高い優先順位の論理チャネルで送るためのデータ量、ならびにＵＥ１１０によって送るための合計のデータ量が、リソース要求２１０で伝達されることができる。
【００３３】
図２において示されているように、リソース要求２１０は、電力ヘッドルーム情報のためのフィールド２１２と、待ち行列情報のためのフィールド２１４、２１６、および２１８とを含む。電力ヘッドルーム情報は、特定のキャリア用であることができるが、待ち行列情報は、Ｋ個のキャリアすべてに適用可能であることができる。ＵＥ１１０は、各キャリアにつき、１つのリソース要求２１０を生成することができる。Ｋ個のキャリアに対するＫ個のリソース要求は、異なる電力ヘッドルーム情報だが、同一の待ち行列情報を含むことができる。そして、これは、冗長な待ち行列情報がＫ個のキャリアに対し送られるという結果となることができ、それは、分配スケジューラにとって有用であることができる。
【００３４】
別の設計において、待ち行列情報は、１つ以上のキャリアに対する１つ以上のリソース要求から省略されることができる。たとえば、プライマリまたは指定キャリアに対するリソース要求は、電力ヘッドルーム情報および待ち行列情報を含むことができるが、残りのキャリアの各々に対するリソース要求は、電力ヘッドルーム情報のみを含むことができる。この設計は、Ｋ個のキャリアに対するリソース要求で送るための冗長情報量を減じることができる。
【００３５】
さらなる別の設計において、図２に示されたリソース要求は、各キャリアに対して使用できる。しかしながら、１つ以上のリソース要求におけるフィールド２１４、２１６および／または２１８は、待ち行列情報の代わりに他の情報を搬送するために使用できる。たとえば、フィールド２１４、２１６および／または２１８は、より良い分解（resolution）を得るために、電力ヘッドルーム情報のためにより多くのビットを搬送するために使用できる。フィールド２１４、２１６、および／または２１８は、さらにサービングセルと、ＵＥ１１０のためのアクティブセット内の他のセルとの間の、ダウンリンクＳＩＮＲの差を送るために使用されることができる。ダウンリンクＳＩＮＲの差は、他のセルへの干渉を示すことができる。
【００３６】
上述したすべての設計で、ＵＥ１１０は、Ｋ個のキャリアの各々に対する要求電力ヘッドルームを送ることができる。これは、分配スケジューラに、各キャリアが独立してスケジューリングされるようにすべてのＵＥからの要求電力ヘッドルームを得ることを、可能にさせることができる。ＵＥ１１０からのＫ個のキャリアに対する要求電力ヘッドルームは、さらにＫ個のキャリアにわたるチャネル状況の違いをジョイントスケジューラに知らせることができる。Ｋ個のキャリアにわたるチャネル状況の情報は、以下に説明されるように、要求電力ヘッドルームを再分配するために、ジョイントスケジューラによって使用されることができる。
【００３７】
（たとえば、ノードＢ１２０またはＲＮＣ１３０の）スケジューラは、ＵＥ１１０からＫ個のキャリアの各々に対する要求電力ヘッドルームを得ることができる。式（４）に示したように、各キャリアに対する要求電力ヘッドルームは、トラフィック対パイロット比（Ｔ２Ｐ）によって与えられることができる。スケジューラは、要求電力ヘッドルームに基づいて、および、要求電力ヘッドルームを決定するためにＵＥ１１０によって使用された設計にしたがって、各キャリアに対する割り当て送信電力を決定することが可能である。スケジューラは、各キャリアでオーバーヘッド情報を送るためにＵＥ１１０によって使用された送信電力を知ることができ、それは、オーバーヘッド対パイロット比（Ｏ２Ｐ）によって与えられることができる。Ｏ２Ｐは、オーバーヘッド情報のための所望の性能を得るために選択されることができ、すべてのＫ個のキャリアについて同一であることができる。式（２）で示された送信電力分配方式では、スケジューラは、ＵＥ１１０の既知の最大送信電力と、ＵＥ１１０の既知のＯ２Ｐと、ＵＥ１１０から受信されたキャリアｋに対する要求電力ヘッドルームとに基づいて、各キャリアｋでのパイロットの送信電力を、以下のように決定することができる。
【数６】
0005313365.tif 000007
【００３８】
そして、スケジューラは、以下のように、各キャリアｋでのデータ送信のために利用可能な送信電力を決定することができる。
【数７】
0005313365.tif 000008
【００３９】
スケジューラは、各キャリアについて計算されたＰavail,kに基づいて、アップリンクのデータ送信にＵＥ１１０をスケジューリングすることができる。しかしながら、Ｐavail,kは、Ｋ個のキャリアでの負荷、各キャリアに対するターゲット負荷、等といった、ある特定の考慮すべき事項を考慮せずに、ＵＥ１１０によって計算される。したがって、ＵＥ１１０によって計算されたＰavail,kに基づいてＵＥ１１０をスケジューリングすることは、次善の性能を提供することができる。
【００４０】
ある態様において、スケジューラは、ＵＥ１１０からＫ個のキャリアの各々に対する要求電力ヘッドルームを受信することができ、性能に影響を及ぼす１つ以上のファクタに基づいて、Ｋ個のキャリアにわたり要求電力ヘッドルームを再分配することができる。そして、スケジューラは、ＵＥ１１０によって送られた要求電力ヘッドルームの代わりに、Ｋ個のキャリアに対する再分配電力ヘッドルームに基づいて、アップリンクのデータ送信にＵＥ１１０をスケジューリングすることができる。
【００４１】
スケジューラは、さまざまな方法で、Ｋ個のキャリアに対する要求電力ヘッドルームを再分配することができる。１つの設計において、スケジューラは、Ｋ個のキャリアに対する要求電力ヘッドルームに基づいてＵＥ１１０のための利用可能な合計送信電力を決定することができ、Ｋ個のサブキャリアにわたって利用可能な合計送信電力を均等に再分配することができる。この設計において、Ｋ個のキャリアに対する再分配送信電力は、等しい。別の設計において、スケジューラは、ウォーターフィリング、またはグリーディフィリング、またはある他のアルゴリズムに基づいて、Ｋ個のキャリアに対する要求電力ヘッドルームを再分配することができる。ウォーターフィリングに基づく再分配が、以下に説明される。すべての設計で、スケジューラは、ＵＥ１１０のためのＫ個のキャリアの各々に対する再分配電力ヘッドルームを得ることができる。各キャリアに対する再分配電力ヘッドルームは、そのキャリアに対する要求電力ヘッドルームと等しいか、それより小さいか、または、それより大きいことができる。そして、スケジューラは、Ｋ個のキャリアに対する再分配電力ヘッドルームに基づいて、アップリンクのデータ送信にＵＥ１１０をスケジューリングすることができる。
【００４２】
スケジューラは、アップリンクでデータを送信することを望んでいるＵＥのセットのためのＫ個のキャリアに対する再分配電力ヘッドルームを決定することができる。スケジューラは、さまざまな方法で、それらの再分配電力ヘッドルームに基づいて、これらのＵＥをスケジューリングすることができる。
【００４３】
第１のスケジューリングの設計は、キャリアごとのスケジューリングと呼ばれることができ、この設計において、スケジューラは、Ｋ個のキャリアの各々に対し、独立してスケジューリングを行なうことができる。各キャリアｋのために、スケジューラは、プロポーショナルフェアメトリック（proportional fair metric）のような１つ以上のメトリックに基づいて、ＵＥを並び替える、または優先順位をつけることができる。そして、スケジューラは、最も高い優先順位のＵＥに始まり、キャリアｋのスケジューリングのために、一度に１つのＵＥを選択することができる。スケジューラは、選択されたＵＥに、キャリアｋでの許可電力ヘッドルームを割り当てることができる。グリーディフィリングで、許可電力ヘッドルームは、選択されたＵＥのためのキャリアｋでの再分配電力ヘッドルーム以下であることができ、ノードＢ１２０でのキャリアｋの負荷によって制限されることができる。スケジューラは、すべてのＵＥがキャリアｋにスケジューリングされるまで、または、キャリアｋの負荷のすべてが使い切られるまで、このプロセスを繰り返すことができ、各ＵＥに許可電力ヘッドルームを割り当てることができる。スケジューラは、許可電力ヘッドルームを用いてＵＥをスケジューリングした後に、各ＵＥのための（単数または複数の）メトリックを更新することができる。たとえば、スケジューラは、許可電力ヘッドルームに基づいて、ＵＥのための、スケールされた（scaled）合計のスループットを決定することができ、スケールされた合計のスループットに基づいて、ＵＥのためのプロポーショナルフェアメトリックを更新することができる。
【００４４】
１つの設計において、各キャリアｋでの負荷は、ターゲットライズオーバーサーマル（ＲｏＴ：rise-over-thermal）によって制限されることができる。ＣＤＭＡシステムのような干渉制限システム（interference-limited system）では、ＲｏＴは、アップリンクで同時に送信するＵＥの数、それらの送信電力レベル、およびそれらのチャネル状況に依存することができる。ＲｏＴは、システムの不安定性を回避するために、ターゲットレベル以下に維持されることができる。
【００４５】
キャリアｋにスケジューリングされた所与のＵＥにおいて、チップあたりの合計エネルギー対合計雑音比（Ｅc／Ｎt）kは、ノードＢ１２０のＵＥで、次のように表されることができる。
【数８】
0005313365.tif 000009
【００４６】
ここで、Ｅcpは、パイロットのためのチップあたりエネルギーであり、  
Ｅcは、データ、オーバーヘッド、およびパイロットのためのチップあたり合計エネルギーであり、  
Ｎtは、ノードＢ１２０のＵＥによって観察された合計雑音および干渉であり、  
Ｏ２Ｐkは、ＵＥのためのオーバーヘッド対パイロット比であり、  
Ｔ２Ｐgranted,kは、ＵＥのための許可電力ヘッドルームである。
【００４７】
ＵＥのキャリアｋでのチップあたりパイロットエネルギー対合計雑音比（Ｅcp／Ｎt）kは、キャリアｋでＵＥによって送信されるパイロットに基づいて推定されることができる。ＵＥによる負荷は、次のように表されることができる。
【数９】
0005313365.tif 000010
【００４８】
ここで、（Ｅc）kは、キャリアｋでのＵＥのチップあたり合計エネルギーであり、
Ｉ0は、ノードＢ１２０によって観察された合計雑音および干渉であり、
Ｌkは、キャリアｋでのＵＥによる負荷である。
【００４９】
キャリアｋのターゲット負荷、Ｌtotal_targetは、以下のように、ターゲットＲｏＴに基づいて決定されることができる。
【数１０】
0005313365.tif 000011
【００５０】
ターゲットＲｏＴは、固定または可変であることができる。可変である場合、ターゲットＲｏＴは、アップリンクで送信するＵＥの数、ｆ−ファクタ、および／または他のパラメータに基づいて、選択されることができる。ｆ−ファクタは、負荷の何パーセントが、ノードＢ１２０によってサービスされていないＵＥによるものかを表すことができる。
【００５１】
キャリアｋのために利用可能な負荷、Ｌavail,kは、次のように表されることができる。
【数１１】
0005313365.tif 000012
【００５２】
ここで、Ｌother,kは、スケジューラによって制御されない送信、たとえば、スケジューリングされていない送信、再送、専用チャネルでの送信、他のノードＢと通信するＵＥによる送信、等によるキャリアｋでの負荷である。
【００５３】
キャリアｋのために利用可能な負荷は、以下のように、許可電力ヘッドルームを用いてＵＥをスケジューリングした後に、更新されることができる。
【数１２】
0005313365.tif 000013
【００５４】
Ｌkは、キャリアｋにスケジューリングされているＵＥによる負荷であり、式（９）で示したように計算されることができる。スケジューラは、キャリアｋのために利用可能な負荷が、ゼロになるまで、または、小さすぎて割り当てられなくなるまで、キャリアｋに、一度に１つのＵＥをスケジューリングすることができる。
【００５５】
第２のスケジューリングの設計は、ＵＥごとのスケジューリングと呼ぶことができ、この設計において、スケジューラは、すべてのＫ個のキャリアにわたってＵＥのスケジューリングを行なうことができる。スケジューラは、プロポーショナルフェアメトリックのような１つ以上のメトリックに基づいて、アップリンクのデータ送信を要求するすべてのＵＥの優先順位をつけることができる。スケジューラは、ＵＥに対する再分配電力ヘッドルームに基づいて、各ＵＥでの合計の要求スループットを決定することができる。そして、スケジューラは、ＵＥでの合計の要求スループットおよび合計の供給（served）スループットに基づいて、各ＵＥのためのプロポーショナルフェアメトリックを決定することができる。スケジューラは、すべてのＵＥを含む単一の優先順位リストを得ることができ、それは、それらのプロポーショナルフェアメトリックに基づいて並べ替えられることができる。
【００５６】
そして、スケジューラは、最も高い優先順位のＵＥに始まり、すべてのＫ個のキャリアへのスケジューリングのために、一度に１つのＵＥを選択することができる。スケジューラは、選択されたＵＥに、各キャリアでの許可電力ヘッドルームを割り当てることができる。グリーディフィリングで、各キャリアでの許可電力ヘッドルームは、ＵＥのそのキャリアでの再分配電力ヘッドルーム以下であることができ、ノードＢ１２０でのキャリアの利用可能な負荷によって制限されることができる。スケジューラは、すべてのＵＥがスケジューリングされるまで、または、Ｋ個のキャリアでの利用可能な負荷のすべてが使い切られるまで、プロセスを繰り返すことができ、各ＵＥにＫ個のキャリアでの許可電力ヘッドルームを割り当てることができる。スケジューラは、さらに他の考慮すべき事項に基づいて、ＵＥに許可電力ヘッドルームを割り当てることができる。スケジューラは、さらに許可電力ヘッドルームによってＵＥをスケジューリングした後に、各ＵＥについての（単数または複数の）メトリックを更新することができ、Ｋ個のキャリアでの負荷を更新することができる。
【００５７】
第３のスケジューリングの設計は、反復の再分配を伴うＵＥごとのスケジューリングと呼ばれることができ、この設計において、スケジューラは、Ｋ個のすべてのキャリアにわたって、一度に１つのＵＥのスケジューリングを行なうことができ、各ＵＥをスケジューリングした後に、電力ヘッドルームを再分配することができる。スケジューラは、アップリンクでのデータ送信を要求する各ＵＥの要求電力ヘッドルームを再分配することができ、その再分配電力ヘッドルームに基づいて、各ＵＥのための１つ以上のメトリックを決定することができる。たとえば、スケジューラは、その再分配電力ヘッドルームに基づいて、各ＵＥでの合計の要求スループットを決定することができ、ＵＥでの合計の要求スループットと合計の供給スループットとに基づいて、ＵＥのためのプロポーショナルフェアメトリックを決定することができる。スケジューラは、アップリンクでのデータ送信を要求するすべてのＵＥに、それらのプロポーショナルフェアメトリックに基づいて、優先順位をつけることができ、すべてのＵＥを含む単一の優先順位リストを得ることができる。
【００５８】
そして、スケジューラは、スケジューリングのために、優先順位リストにおいて最も高い優先順位のＵＥを選択することができる。スケジューラは、選択されたＵＥに、各キャリアに対する許可電力ヘッドルームを割り当てることができる。グリーディフィリングで、各キャリアに対する許可電力ヘッドルームは、ＵＥのためのそのキャリアでの再分配電力ヘッドルーム以下であることができ、ノードＢ１２０でのキャリアの利用可能な負荷によって制限されることができる。ＵＥをスケジューリングした後、スケジューラは、（ｉ）優先順位リストにおける残りの各ＵＥに対し、要求電力ヘッドルームを再分配することと、（ｉｉ）それらの再分配電力ヘッドルームに基づいて、残りのＵＥの優先順位をつけることと、（ｉｉｉ）リストにおける最も高い優先順位のＵＥをスケジューリングすることとを繰り返すことができる。スケジューラは、第１の反復ではウォーターフィリングに基づいて、引き続いて起こる各反復では複雑さを減じるためにグリーディフィリングに基づいて、再分配を行なうことができる。各ＵＥに対する再分配は、Ｋ個のキャリアの各々での利用可能な負荷に依存することができ、それは、ＵＥがスケジューリングされるたびに変化することができる。第３のスケジューリングの設計は、このように、第２のスケジューリングの設計を改良したものと考えられることができる。
【００５９】
スケジューラは、さらに他の方法でスケジューリングを行なうことができる。すべてのスケジューリングの設計で、スケジューラは、考慮すべき他の事項に基づいて、ＵＥに許可電力ヘッドルームを割り当てることができる。たとえば、スケジューラは、改良された、専用チャネル（Ｅ−ＤＣＨ：Enhanced Dedicated Channel）、絶対許可チャネル（Ｅ−ＡＧＣＨ：Absolute Grant Channel）の使用を最小化するために、許可電力ヘッドルームを割り当てることができ、それらは、ＵＥに許可電力ヘッドルームを送るために使用されることができる。これは、可能であればいつでも、より大きい許可を割り当てること、および／または、より小さい許可を回避することによって、達成されることができる。
【００６０】
上述したように、スケジューラは、スケジューリングの前に、各ＵＥのＫ個のキャリアに対する要求電力ヘッドルームを再分配することができる。１つの設計において、再分配は、グリーディフィリングに基づくことができる。この設計において、Ｋ個のキャリアは、それらのチャネル状況に基づいて、最良から最悪まで、順序づけられることができる。そして、スケジューラは、最良のキャリアに始まり、一度に１つのキャリアずつ、Ｋ個の順序づけられたキャリアに要求電力ヘッドルームを再分配することができる。再分配のために選択された所与のキャリアｋのために、スケジューラは、可能な限り高くできる許可電力ヘッドルームを割り当てることができる。各キャリアｋに対する最大許容電力ヘッドルームは、次のように与えられることができる。
【数１３】
0005313365.tif 000014
【００６１】
ここで、Ｔ２Ｐmaxは、システムによってサポートされる最高データレートでの電力ヘッドルームであり、  
Ｔ２Ｐmax,k,loadは、キャリアｋでの利用可能な負荷によってサポートされる最高データレートであり、  
Ｔ２Ｐmax,kは、キャリアｋに対する最大許容電力ヘッドルームである。
【００６２】
Ｔ２Ｐmaxは、Ｋ個のすべてのキャリアで同一であることができ、静的なパラメータであることができる。Ｔ２Ｐmax,k,loadは、異なるキャリアごとに異なることができ、ＵＥがキャリアｋにスケジュールされるたびに変化することができる動的なパラメータであることができる。そして、グリーディフィリングに基づいた各キャリアに対する再分配電力ヘッドルーム、Ｔ２Ｐgf,kは、以下のように制約されることができる。
【数１４】
0005313365.tif 000015
【００６３】
スケジューラは、ＵＥにキャリアでの許可電力ヘッドルームを割り当てた後、各キャリアでの利用可能な負荷を更新することができる。スケジューラは、さらにＵＥの電力ヘッドルームを更新することができる。そして、スケジューラは、ＵＥに、次に最良のキャリアに対する許可電力ヘッドルームを割り当てることができる。スケジューラは、Ｋ個のすべてのキャリアに対する要求電力ヘッドルームが再分配されるまで、または、Ｋ個のすべてのキャリアでの利用可能な負荷が割り当てられるまで、このプロセスを繰り返すことができる。
【００６４】
別の設計において、再分配は、ウォーターフィリングに基づくことができる。ウォーターフィリングは、でこぼこのある底部を有する容器に一定量の水を注ぐことになぞらえられている。水の量は、利用可能な合計送信電力に対応することができ、各キャリアは、容器の底部上のある地点に対応することができる。任意の所与の地点での底部の高さは、その地点に関連づけられたキャリアのＳＩＮＲの逆数に対応することができる。したがって、高さが低いことは、高いＳＩＮＲに対応することができ、その逆も言える。そして、利用可能な合計送信電力は、（より高いＳＩＮＲに対応する）容器におけるより低い地点がまず満たされ、（より低いＳＩＮＲに対応する）容器におけるより高い地点は後に満たされるように、容器に「注がれる」ことができる。電力分配は、利用可能な合計送信電力および底面に対する容器の深さに依存することができる。
【００６５】
ウォーターフィリングに基づいた１つのＵＥ（たとえば、ＵＥ１１０）に対する要求電力ヘッドルームの再分配は、以下のように行なわれることができる。再分配は、ＵＥ１１０のためのＫ個のキャリアでの合計のスループットまたはデータレートが最大となるように、行なわれることができる。この場合、再分配は、それが以下の目的関数を最大化するように、行なわれることができる。
【数１５】
0005313365.tif 000016
【００６６】
ここで、Ｔ２Ｐwf,kは、ウォーターフィリングによる再分配電力ヘッドルームであり、
ｆ（Ｔ２Ｐwf,k）は、Ｔ２Ｐwf,kによって達成可能なデータレートを供給する関数であり、
Ｊは、最大化するための目的関数である。
【００６７】
関数ｆ（Ｔ２Ｐwf,k）は、ハイブリッド自動再送（ＨＡＲＱ：hybrid automatic retransmission）および／またはデータ送信のために使用される他の方式の性能を含むことができる。関数ｆ（Ｔ２Ｐwf,k）は、ｆ’（Ｔ２Ｐwf,k）＞０となるように、Ｔ２Ｐwf,kに関し、単調増加するものと仮定されることができる。関数ｆ（Ｔ２Ｐwf,k）は、さらにｆ”（Ｔ２Ｐwf,k）≦０となるように、Ｔ２Ｐwf,kに関し、凹であると仮定されることができる。
【００６８】
送信電力は、合計の送信電力がＰmaxを超えないことを確実にするために制約されることができる。要求電力ヘッドルームがＫ個のキャリアにわたって均等にＰmaxを分配することによって得られる場合、送信電力は、以下のように制約されることができる。
【数１６】
0005313365.tif 000017
【００６９】
式（１６）は、以下のように簡潔にされることができる。
【数１７】
0005313365.tif 000018
【００７０】
各キャリアｋに対する最大許容電力ヘッドルームは、Ｔ２Ｐmax,kであることができ、それは、式（１３）で示されたように定義されることができる。そして、各キャリアｋに対する再分配電力ヘッドルームは、以下のように制約されることができる。
【数１８】
0005313365.tif 000019
【００７１】
目的関数Ｊに対するラグランジュ方程式Ｌは、次のように表されることができる。
【数１９】
0005313365.tif 000020
【００７２】
ここで、μkは、Ｔ２Ｐwf,kのシャドウ・プライス（shadow price）であり、Ｔ２Ｐwf,k＝０の時かつその時に限り、正であり、  
αkは、Ｔ２Ｐmax,kのシャドウ・プライスであり、Ｔ２Ｐwf,k＝Ｔ２Ｐmax,kの時かつその時に限り、正であり、  
λは、Ｋのシャドウ・プライスである。
【００７３】
シャドウ・プライスλ、μk、およびαkは、負でない値であり、それぞれ、制約Ｐmax、Ｔ２Ｐwf,k＝０、およびＴ２Ｐwf,k＝Ｔ２Ｐmax,kからの少ない偏差での目的関数Ｊの変化を表す。
【００７４】
目的関数Ｊは、Ｔ２Ｐwf,kに関するＬの偏導関数を用いること、および、偏導関数をゼロに設定することによって、最大化されることができ、そして、それは、以下を供給することができる。
【数２０】
0005313365.tif 000021
【００７５】
０＜Ｔ２Ｐwf,k＜Ｔ２Ｐmax,kの場合、シャドウ・プライスは、μk＝０およびαk＝０となり、式（２０）における偏導関数は、以下のように表されることができる。
【数２１】
0005313365.tif 000022
【００７６】
Ｋ個のキャリアは、３つのグループに分けられることができる。グループ１は、最大許容電力ヘッドルームが割り当てられる、すなわち、Ｔ２Ｐwf,k＝Ｔ２Ｐmax,kであるキャリアを含むことができる。グループ２は、０＜Ｔ２Ｐwf,k＜Ｔ２Ｐmax,kのキャリアを含むことができる。グループ３は、送信電力が割り当てられない、すなわち、Ｔ２Ｐwf,k＝０のキャリアを含むことができる。グループ２における各キャリアに対する許可電力ヘッドルームは、式（２１）において示されたように決定されることができる。
【００７７】
ウォーターフィリングに対する解は、以下の構造特性を有することができる。特性１で、最大データレートは、Ｋ個のすべてのキャリアについてＴ２Ｐwf,k＝Ｔ２Ｐmax,kである場合に得られることができ、グループ１は、
【数２２】
0005313365.tif 000023
【００７８】
であるように、Ｋ個のすべてのキャリアを含む。特性２では、Ｋ個のすべてのキャリアにわたって、より高いＴ２Ｐwf,kが、より良好なチャネル状況を有するキャリアに、そのキャリアでの負荷によって許容される場合には、割り当てられることができる。したがって、Ｔ２Ｐreq,k＞Ｔ２Ｐreq,lおよびＴ２Ｐmax,k＞Ｔ２Ｐmax,lである場合、Ｔ２Ｐwf,k＞Ｔ２Ｐwf,lである。特性２は、関数ｆ（Ｔ２Ｐwf,k）の単調性および凹であることから推論されることができる。このようにして、Ｋ個のキャリアは、それらのチャネル品質によって順序づけられることができる。特性３で、グループ１の所与のキャリアｋ１、グループ２のキャリアｋ２、グループ３のキャリアｋ３で、以下が表されることができる。
【数２３】
0005313365.tif 000024
【００７９】
特性３は、Ｔ２Ｐwf,1＞０を意味することができる。
【００８０】
ウォーターフィリングによる再分配で、Ｋ個のキャリアの各々は、１つのグループに入ることができる。Ｔ２Ｐreq,kおよびＴ２Ｐmax,kが調整されると（または、Ｔ２Ｐmax,k＞Ｔ２Ｐmax,kの場合、Ｔ２Ｐreq,k＞Ｔ２Ｐreq,kのとき）、Ｋ個のキャリアのチャネル品質は、考慮するための組み合わせの数を減じるために順序づけられることができる。あるいは、Ｋ個のキャリア間に順序がない場合、評価するべき組み合わせの数は、より多くなることができる。
【００８１】
関数ｆ（Ｔ２Ｐwf,k）は、再分配電力ヘッドルームをデータレートにマッピングすることができ、制約された容量関数（capacity function）、制約されていない容量関数、またはある他の関数に基づくことができる。１つの設計において、関数ｆ（Ｔ２Ｐwf,k）は、制約されていない容量関数であることができ、次のように表されることができる。
【数２４】
0005313365.tif 000025
【００８２】
ここで、γpilot,kは、キャリアｋでのパイロットのＳＩＮＲであり、Ｗは、システム帯域幅である。
【００８３】
そして、再分配電力ヘッドルームは、以下の条件を満たすように選択されることができる。
【数２５】
0005313365.tif 000026
【００８４】
０＜Ｔ２Ｐwf,k＜Ｔ２Ｐmax,kである各キャリアで、式（２４）は、以下のように簡潔にされることができる。
【数２６】
0005313365.tif 000027
【００８５】
式（２５）から、キャリアｋに対する再分配電力ヘッドルームは、次のように計算されることができる。
【数２７】
0005313365.tif 000028
【００８６】
そして、キャリアｋのＳＩＮＲ、γwf,kは、次のように表されることができる。
【数２８】
0005313365.tif 000029
【００８７】
一般的に、Ｔ２Ｐwf,kは、ｆ（Ｔ２Ｐwf,k）のために使用された特定の関数に依存することができ、式（２１）に基づいて決定されることができる。
【００８８】
ウォーターフィリングに基づいた再分配に対する閉形式解はない。しかしながら、関数ｆ（Ｔ２Ｐｗｆ，ｋ）の単調および凹特性と、γwf,kおよびＴ２Ｐwf,k間の関係は、Ｔ２Ｐwf,k＝Ｔ２Ｐmax,kを割り当てられたキャリアが、０＜Ｔ２Ｐwf,k＜Ｔ２Ｐmax,kを割り当てられたキャリアよりも良好であり、それは、０＝Ｔ２Ｐwf,kを割り当てられたキャリアよりも良好であるということを意味する。この観察は、Ｋ個のキャリアにわたって要求電力ヘッドルームを反復して再分配するために利用されることができる。ｆ（Ｔ２Ｐ）がＴ２Ｐmaxで線形である場合、反復は、グリーディフィリングのために容易に減少することができる。
【００８９】
２つのキャリアの場合、ウォーターフィリングに基づいた再分配は、以下のように簡潔にされることができる。２つのキャリアは、Ｔ２Ｐreq,1≧Ｔ２Ｐreq,2となるように並べ替えられることができる。再分配は、表１に一覧化された５つの可能性のある割り当てのうちの１つという結果になることができる。
【表１】
0005313365.tif 000030
【００９０】
再分配は、以下のステップのシーケンスによって行なわれることができる。
【００９１】
ステップ１において、以下の条件がチェックされることができる。
【数２９】
0005313365.tif 000031
【００９２】
式（２８）での条件が満たされる場合、表１の割り当て１が最適である。さもなければ、ステップ２において、以下の条件がチェックされることができる。
【数３０】
0005313365.tif 000032
【００９３】
式（２９）での条件が満たされる場合、Ｔ２Ｐwf,1＝Ｔ２Ｐmax,1が想定されることができ、Ｔ２Ｐwf,2は、以下が満たされるように決定されることができる。
【数３１】
0005313365.tif 000033
【００９４】
そして、以下の条件がチェックされることができる。
【数３２】
0005313365.tif 000034
【００９５】
式（３１）での条件が満たされる場合、表１の割り当て２が最適である。Ｔ２Ｐwf,1＝Ｔ２Ｐmax,1およびＴ２Ｐwf,2＝０の割り当ては、
【数３３】
0005313365.tif 000035
【００９６】
の場合、めったに発生しない厄介なケース（corner case）であることができる。
【００９７】
式（２９）または（３１）での条件が満たされない場合、ステップ３において、以下の条件がチェックされることができる。
【数３４】
0005313365.tif 000036
【００９８】
式（３２）での条件が満たされる場合、Ｔ２Ｐwf,2＝Ｔ２Ｐmax,2が想定されることができ、Ｔ２Ｐwf,1は、以下が満たされるように決定されることができる。
【数３５】
0005313365.tif 000037
【００９９】
そして、以下の条件がチェックされることができる。
【数３６】
0005313365.tif 000038
【０１００】
式（３４）での条件が満たされる場合、表１の割り当て３が最適である。さもなければ、式（３２）または（３４）での条件が満たされない場合、ステップ４において、以下の条件がチェックされることができる。
【数３７】
0005313365.tif 000039
【０１０１】
式（３５）での条件が満たされる場合、１＋Ｏ２Ｐ＋Ｔ２Ｐwf,1＝２（１＋Ｏ２Ｐ＋Ｔ２Ｐreq,1）が想定されることができ、以下の条件がチェックされることができる。
【数３８】
0005313365.tif 000040
【０１０２】
式（３６）での条件が満たされる場合、表１の割り当て４が最適である。さもなければ、式（３５）または（３６）での条件が満たされない場合、キャリア１および２の両方がグループ２に入ることができ、Ｔ２Ｐwf,1およびＴ２Ｐwf,2が、式（２１）に示されたように決定されることができる。解が任意の制約に違反しない場合、表１の割り当て３が最適である。さもなければ、ステップ５が、違反された制約を考慮することによって繰り返されることができる。ステップ４および５は、正のμ2を許容するために分けられることができる。
【０１０３】
上述された計算は、ある特定の近似を行なうことによって簡潔にされることができる。関数ｆ（Ｔ２Ｐ）およびパイロットＳＩＮＲγpilot,kは、チャネルモデルにわたる平均的な挙動に基づくことができる。しかしながら、実際には、Ｔ２Ｐは、システムによってサポートされるデータレートのセットに対応する離散値のセットのうちの１つであるように制約されることができる。そして、偏導関数は、以下のように近似されることができる。
【数３９】
0005313365.tif 000041
【０１０４】
ここで、ｊは、レートの添え字であり、Ｔ２Ｐjは、ｊ番目のサポートされたデータレートのために要求されるＴ２Ｐである。ｆ（Ｔ２Ｐ）および／または
【数４０】
0005313365.tif 000042
【０１０５】
は、さらにＴ２Ｐの離散関数によって近似されることができ、それは、簡単な公式に基づいて定義されることができる。
【０１０６】
ウォーターフィリングに基づいた要求電力ヘッドルームの再分配が、上述されている。要求電力ヘッドルームは、上述されたように、ＵＥ１１０から受信されることができ、直接的に動作されることができる。別の設計において、要求電力ヘッドルームは、利用可能な合計の送信電力に変換されることができる。そして、再分配が、利用可能な合計の送信電力に基づいて行なわれることができる。
【０１０７】
ＵＥ１１０は、１つ以上のキャリアにスケジューリングされることができる。ＵＥ１１０は、さらに各キャリアでの許可電力ヘッドルームを割り当てられることができ、それは、（ｉ）ＵＥ１１０がキャリアにスケジューリングされた場合には正の値、または、（ｉｉ）ＵＥ１１０がキャリアにスケジューリングされなかった場合にはゼロであることができる。再分配のため、各キャリアに対する許可電力ヘッドルームは、そのキャリアに対する要求電力ヘッドルームと等しい、または、それよりも高い、またはそれよりも低いことができる。しかしながら、合計の許可スループットは、合計の要求スループットと等しいか、またはそれよりも低いことができ、ＵＥ１１０で、Ｐmaxによって制限されることができる。
【０１０８】
複数のキャリアでの要求電力ヘッドルームの再分配およびＵＥのスケジューリングは、上述されたように行なわれることができる。再分配およびスケジューリングは、さらに他の考慮すべき事項を考慮することによって、行なわれることができる。たとえば、ｆ（Ｔ２Ｐ）の感度、および異なるチャネルモデルへのγpilot,k、およびＨＡＲＱ性能が考慮されることができる。スケジューリングされたＵＥにリソース許可を送るためのＥ−ＡＧＣＨの使用は、さらに考慮されることができる。遅延の制約および周波数ダイバーシチを有するＱｏＳ ＵＥは、さらに考慮されることができる。ターゲットＴ２Ｐは、マルチキャリアＵＥの数に基づいて選択されることができる。
【０１０９】
一般的に、所与のＵＥは、複数のキャリアが利用可能な場合に１つ以上のキャリアにスケジューリングされることができる。１つまたは複数のキャリアにＵＥをスケジューリングするための決定は、ＵＥをスケジューリングするために使用される特定のスケジューリングアルゴリズムに依存することができる。プロポーショナルフェアスケジューラは、すべてのキャリアにわたる合計のスループットに基づいて、ＵＥに優先順位をつけることができる。所与のＵＥが１つまたは複数のキャリアにスケジューリングされるべきかどうかを決定する際に、公正な比較として、マルチキャリアＵＥの合計のスループットは、シングルキャリアＵＥの合計のスループットと異なってスケーリングされるべきではない。この場合、システムワイドな公正さは、各ＵＥがスケジューリングされるキャリアの数によって影響されないことができる。
【０１１０】
ＵＥは、時分割多重（ＴＤＭ）または符号分割多重（ＣＤＭ）に基づいてアップリンクでのデータ送信にスケジューリングされることができる。ＴＤＭベースのスケジューリングで、ＵＥは、公正さを達成するために略等しい時間量でスケジューリングされることができる。例として、システム内のＭ個のデュアルキャリアＵＥ、キャリア１でのＮ1個のシングルキャリアＵＥ、キャリア２でのＮ2個のシングルキャリアＵＥがあることができる。一般的に、負荷が分散されたケースは、｜Ｎ1−Ｎ2｜≦１および付加ホワイトガウスノイズ（ＡＷＧＮ：additive white Gaussian noise）チャネルによって考慮されることができる。静的な計算に基づくと、各デュアルキャリアＵＥに対するサービス時間の分数は、キャリア１で、
【数４１】
0005313365.tif 000043
【０１１１】
キャリア２で、
【数４２】
0005313365.tif 000044
【０１１２】
両キャリアで、
【数４３】
0005313365.tif 000045
【０１１３】
であることができる。各シングルキャリアＵＥに対するサービス時間の分数は、
【数４４】
0005313365.tif 000046
【０１１４】
であることができ、これは、各デュアルキャリアＵＥに対する合計のサービス時間に等しいことができる。このようにして、公正さが、シングルキャリアＵＥとデュアルキャリアＵＥとの間で維持されることができる。デュアルキャリア割り当ては、システムにおけるフルバッファＵＥによるケースのための負荷分散を提供することができる。
【０１１５】
ＣＤＭベースのスケジューリングで、複数のＵＥは、同一のキャリアに同時にスケジューリングされることができる。この場合、システムは、各ＵＥのＳＩＮＲが非常に低くなることができるように、干渉が制限されることができる。一例として、ノードＢでの等しい受信電力を有する２つのＵＥで、各ＵＥは、約０ｄＢのＳＩＮＲを達成することができる。これらの２つのＵＥは、異なるキャリアにスケジューリングされることができ、各ＵＥは、より一層高いＳＩＮＲを達成可能であることができる。複数のＵＥが同一のキャリアに同時にスケジューリングされる場合、ノードＢは、干渉除去を伴って、一度に１つのＵＥからのアップリンク送信をリカバーすることができる。干渉除去は、第１のＵＥの後にリカバーされた各ＵＥのＳＩＮＲを向上させることができる。
【０１１６】
アップリンクでの複数のキャリアでのデータ送信にＵＥをスケジューリングすることは、ある特定の利点を提供することができる。第一に、より高い合計スループットが、単一のキャリアではなく複数のキャリアで送信することにより、ＵＥのために達成されることができる。第二に、より良好なＱｏＳと、より少ない待ち時間が、複数のキャリアを使用することにより達成されることができる。第三に、データレート対ＳＩＮＲの容量曲線が典型的に凹であるため、向上したＳＩＮＲ効率が、達成されることができる。したがって、複数のキャリア間で送信電力を分配することは、単一のキャリアで送信電力のすべてを使用することよりも、より高い合計のデータレートという結果となることができる。第四に、複数のキャリアの割り当ては、各キャリアでの利用可能な負荷を満たすことが可能であることができ、それは、さもなければ、ＵＥによってサポートされるデータ量またはピークデータレートにおける制限により満たされ得ない。
【０１１７】
図３は、無線通信システムにおけるデータ送信をスケジューリングするためのプロセス３００の設計を示している。プロセス３００は、スケジューラによって行なわれることができ、それは、基地局／ノードＢまたはある他のネットワークエンティティに存在することができる。スケジューラは、ＵＥからの、各キャリアにつき１つの要求電力ヘッドルームの、複数のキャリアに対する要求電力ヘッドルームを受信することができる（ブロック３１２）。各要求電力ヘッドルームは、関連づけられたキャリアでの送信のためにＵＥによって使用可能な送信電力を示すことができる。１つの設計において、複数のキャリアに対する要求電力ヘッドルームは、たとえば、式（２）で示されているように、複数のキャリアにわたって均等にＵＥの最大送信電力を再分配することによって、ＵＥにより得られることができる。要求電力ヘッドルームは、さらに上述されているように、他の方法でＵＥによって得られることができる。スケジューラは、さらにＵＥによって送信するためのデータを示す待ち行列情報を受信することができる（ブロック３１４）。
【０１１８】
スケジューラは、複数のキャリアに対する再分配電力ヘッドルームを得るために複数のキャリアにわたって要求電力ヘッドルームを再分配することができる（ブロック３１６）。そして、スケジューラは、複数のキャリアに対する再分配電力ヘッドルームに基づいて、アップリンクのデータ送信にＵＥをスケジューリングすることができる（ブロック３１８）。ＵＥは、さらにＵＥの優先順位を決定するために使用されることができる、待ち行列情報にさらに基づいて、スケジューリングされることができる。ブロック３１８から、スケジューラは、少なくとも１つのキャリアに対する少なくとも１つの許可電力ヘッドルームを得ることができる。スケジューラは、ＵＥに、少なくとも１つのキャリアに対する少なくとも１つの許可電力ヘッドルームを備える少なくとも１つのリソース許可を送ることができる（ブロック３２０）。
【０１１９】
ブロック３１６の１つの設計において、スケジューラは、複数のキャリアにわたって不均等に要求電力ヘッドルームを再分配することができる。たとえば、スケジューラは、複数のキャリアのチャネル状況に基づいて複数のキャリアに要求電力ヘッドルームを再分配することができ、より良好なチャネル状況を有するキャリアには、より高い電力ヘッドルームを割り当てることができる。
【０１２０】
ブロック３１６の１つの特定の設計において、スケジューラは、ウォーターフィリングに基づいて、および、データレート対電力ヘッドルームの容量関数にさらに基づいて、複数のキャリアにわたって要求電力ヘッドルームを再分配することができる。容量関数は、さらに離散関数によって近似されることができ、および／または、容量関数の偏導関数が、別の離散関数によって近似されることができる。スケジューラは、たとえば、式（２８）乃至（３６）に示されているように、ウォーターフィリングのための状況のセットに基づいて、複数の可能性のある割り当てのうちの１つを選択することができる。そして、スケジューラは、選択された割り当てにしたがって、複数のキャリアに要求電力ヘッドルームを再分配することができる。スケジューラは、上述されたように、さらに他の方法でウォーターフィリングを行なうことができる。
【０１２１】
ブロック３１６の別の特定の設計において、スケジューラは、グリーディフィリングに基づいて、複数のキャリアにわたって要求電力ヘッドルームを再分配することができる。スケジューラは、複数のキャリアのチャネル状況に基づいて、最良から最悪まで、複数のキャリアを順序づけることができる。そして、スケジューラは、最良のキャリアから始まり、電力ヘッドルームを割り当てるために、一度に１つのキャリアを選択することができる。スケジューラは、選択されたキャリアに対する再分配電力ヘッドルームとして、最大許容電力ヘッドルームを割り当てることができる。そして、スケジューラは、要求電力ヘッドルームが完全に使用されるまで、または、すべてのサブキャリアが電力ヘッドルームを割り当てられるまで、選択および割り当てステップを繰り返すことができる。
【０１２２】
ブロック３１６のすべての設計について、スケジューラは、たとえば、式（１３）および（１４）に示されているように、（ｉ）システムによってサポートされた最高データレートに対する最大電力ヘッドルーム、および／または、（ｉｉ）キャリアでの利用可能な負荷によって決定された最大電力ヘッドルームに、各キャリアに対する再分配電力ヘッドルームを制限することができる。
【０１２３】
ブロック３１８の１つの設計において、スケジューラは、各キャリアに対し別々に、キャリアごとのスケジューリングを行なうことができる。スケジューラは、キャリアに対する再分配電力ヘッドルームに基づいて、各キャリアに許可電力ヘッドルームを割り当てることができる。
【０１２４】
ブロック３１８の別の設計において、スケジューラは、ＵＥごとのスケジューリングを行なうことができる。スケジューラは、アップリンクでのデータ送信を要求する複数のＵＥを、ＵＥの優先順位に基づいて並べ替えることができる。スケジューラは、最も高い優先順位のＵＥに始まり、スケジューリングのために一度に１つのＵＥを選択することができる。そして、スケジューラは、選択されたＵＥに、少なくとも１つのキャリアに対する少なくとも１つの許可電力ヘッドルームを割り当てることができる。
【０１２５】
ブロック３１８のさらなる別の設計において、スケジューラは、ＵＥごとの、および、反復の、再分配スケジューリングを行なうことができる。スケジューラは、アップリンクでのデータ送信を要求する複数のＵＥのために、複数の反復で、再分配およびスケジューリングを行なうことができる。各反復で、スケジューラは、複数のキャリアの各々のために利用可能な負荷に基づいて再分配を行なうことができ、その反復で最も高い優先順位のＵＥのためにスケジューリングを行なうことができる。
【０１２６】
スケジューラは、ブロック３１８について、他の方法でスケジューリングを行なうこともできる。すべての設計で、スケジューラは、複数のキャリアに対する再分配電力ヘッドルームに基づいて、ＵＥに、少なくとも１つのキャリアに対する少なくとも１つの許可電力ヘッドルームを割り当てることができる。所与のキャリアに対する許可電力ヘッドルームは、そのキャリアに対する要求電力ヘッドルームよりも高いこともできる。
【０１２７】
図４は、無線通信システムにおいてデータを送信するためのプロセス４００の設計を示している。プロセス４００は、（以下に説明されるように）ＵＥによって、または、ある他のエンティティによって、行なわれることができる。ＵＥは、各キャリアにつき１つの要求電力ヘッドルームの、複数のキャリアに対する要求電力ヘッドルームを決定することができる（ブロック４１２）。１つの設計において、ＵＥは、たとえば、式（２）で示されているように、各キャリアに対する割り当て送信電力を得るために、複数のキャリアにわたって均等にＵＥに対する最大送信電力を分配することができる。そして、ＵＥは、たとえば、式（４）に示されているように、キャリアに対する割り当て送信電力に基づいて、各キャリアに対する要求電力ヘッドルームを決定することができる。ＵＥは、上述されているように、さらに他の方法で要求電力ヘッドルームを決定することができる。
【０１２８】
ＵＥは、ＵＥによって送信するためのデータを示す待ち行列情報を決定することができる（ブロック４１４）。ＵＥは、複数のキャリアに対する要求電力ヘッドルームおよび待ち行列情報を送ることができる（ブロック４１６）。１つの設計において、ＵＥは、各キャリアに対し１つのリソース要求の、複数のキャリアに対する複数のリソース要求を生成することができる。各キャリアに対するリソース要求は、キャリアに対する要求電力ヘッドルームを含むことができる。１つの設計において、各リソース要求は、待ち行列情報をさらに含むことができる。別の設計において、１つのリソース要求のみが、待ち行列情報を含むことができ、追加の情報は、待ち行列情報を含まない各リソース要求において送られることができる。
【０１２９】
ＵＥは、複数のキャリアのうちの少なくとも１つのキャリアに対する少なくとも１つの許可電力ヘッドルームを備える少なくとも１つのリソース許可を受信することができる（ブロック４１８）。ＵＥは、少なくとも１つの許可電力ヘッドルームにしたがって、少なくとも１つのキャリアでデータを送ることができる（ブロック４２０）。
【０１３０】
図５は、無線通信システムにおいてデータ送信をスケジューリングするためのプロセス５００の設計を示している。プロセス５００は、スケジューラによって行なわれることができ、それは、基地局／ノードＢまたはある他のネットワークエンティティに存在することができる。スケジューラは、ＵＥから、各キャリアに対し１つの要求電力ヘッドルームの、複数のキャリアに対する要求電力ヘッドルームを受信することができる（ブロック５１２）。スケジューラは、ＵＥによる複数のキャリアでのデータ送信のための利用可能な合計送信電力を決定することができる（ブロック５１４）。一般的に、利用可能な合計送信電力は、（ＵＥから受信されていれば）要求電力ヘッドルームに基づいて、または、ＵＥから受信されたある他の情報に基づいて、決定されることができる。
【０１３１】
スケジューラは、各キャリアに対する利用可能な送信電力を得るために、複数のキャリアにわたって不均等に利用可能な合計送信電力を分配することができる（ブロック５１６）。たとえば、スケジューラは、ウォーターフィリング、グリーディフィリング、またはある他の方式に基づいて、複数のキャリアにわたって利用可能な合計送信電力を分配することができる。スケジューラは、複数のキャリアのチャネル状況に基づいて複数のキャリアにわたって利用可能な合計送信電力を分配することができ、より良好なチャネル状況を有するキャリアには、より多くの送信電力を割り当てることができる。
【０１３２】
そして、スケジューラは、複数のキャリアの各々に対する利用可能な送信電力に基づいて、アップリンクのデータ送信のためにＵＥをスケジューリングすることができる（ブロック５１８）。たとえば、スケジューラは、少なくとも１つのキャリアの各々に対する許可送信電力を、そのキャリアのための利用可能な送信電力に基づいて、割り当てることができる。スケジューラは、少なくとも１つのキャリアの各々に対する許可電力ヘッドルームを、そのキャリアに対する許可送信電力に基づいて、決定することができる（ブロック５２０）。そして、スケジューラは、ＵＥに、少なくとも１つのキャリアの各々に対する許可電力ヘッドルームを示す情報を送ることができる（ブロック５２２）。
【０１３３】
図３および図５は、スケジューラによる送信電力の分配／再分配およびスケジューリングの２つの設計を示している。送信電力の分配／再分配およびスケジューリングは、さらにスケジューラによって他の方法で行われることができる。
【０１３４】
ここに説明された手法は、上述されたように、さまざまなシステムおよび無線技術のために使用されることができる。手法は、３ＧＰＰにおけるマルチキャリア高速パケットアクセス（ＨＳＰＡ：High-Speed Packet Access）のために使用されることができる。ＨＳＰＡは、３ＧＰＰのリリース５で定義された高速ダウンリンクパケットアクセス（ＨＳＤＰＡ：High-Speed Downlink Packet Access）ならびに、３ＧＰＰのリリース６で定義された高速アップリンクパケットアクセス（ＨＳＵＰＡ：High-Speed Uplink Packet Access）を含む。ＨＳＤＰＡおよびＨＳＵＰＡは、それぞれ、ダウンリンクおよびアップリンクの高速パケットデータ送信を可能にするチャネルおよび手順のセットである。ＨＳＰＡで、ＵＥ１１０は、Ｅ−ＤＣＨ専用物理制御チャネル（Ｅ−ＤＰＣＣＨ：E-DCH Dedicated Physical Control Channel）で、複数のキャリアに対するリソース要求を送ることができる。ＵＥ１１０は、Ｅ−ＤＣＨ絶対許可チャネル（Ｅ−ＡＧＣＨ：E-DCH Absolute Grant Channel）で複数のキャリアに対する絶対許可を、および／または、Ｅ−ＤＣＨ相対許可チャネル（Ｅ−ＲＧＣＨ：E-DCH Relative Grant Channel）で相対許可を受信することができる。ＵＥ１１０は、許可にしたがい、Ｅ−ＤＣＨ専用物理データチャネル（Ｅ−ＤＰＤＣＨ：E-DCH Dedicated Physical Data Channel）でデータを送ることができる。
【０１３５】
図６は、ＵＥ１１０とノードＢ１２０の設計のブロック図を示している。ＵＥ１１０で、送信プロセッサ６１４は、データソース６１２からデータを、制御装置／プロセッサ６２０から制御情報（たとえば、リソース要求）を、受け取ることができる。送信プロセッサ６１４は、データおよび制御情報を処理（たとえば、符号化およびシンボルマッピング）し、各キャリアのためのパイロットを生成し、（たとえば、ＣＤＭＡ等のための）変調を行い、および出力サンプルを供給することができる。送信機（ＴＭＴＲ）６１６は、出力サンプルを調整（たとえば、アナログ変換、フィルタリング、増幅、およびアップコンバート）し、アップリンク信号を生成することができ、それは、アンテナ６１８を介して送信されることができる。
【０１３６】
ノードＢ１２０で、アンテナ６５２は、ＵＥ１１０および他のＵＥからのアップリンク信号を受信することができ、受信機（ＲＣＶＲ）６５４に受信された信号を供給することができる。受信機６５４は、受信された信号を調整（たとえば、増幅、フィルタリング、ダウンコンバート、およびデジタル化）することができ、入力サンプルを供給することができる。受信プロセッサ６５６は、（たとえば、ＣＤＭＡ等のための）入力サンプルの復調を行なうことができ、ＵＥ１１０および他のＵＥによって送られた復号されたデータおよび制御情報を得るために合成シンボルを復調および復号することができる。受信プロセッサ６５６は、データシンク６５８に復号されたデータを、制御装置／プロセッサ６６０に復号された制御情報を、提供することができる。
【０１３７】
ダウンリンクで、ノードＢ１２０の送信プロセッサ６７４は、データソース６７２からＵＥのためのデータを、制御装置／プロセッサ６６０から制御情報（たとえば、リソース許可）を、受け取ることができる。データおよび制御情報は、送信プロセッサ６７４によって処理（たとえば、符号化、シンボルマッピング、および変調）されることができ、ダウンリンク信号を生成するために送信機６７６によってさらに調整されることができ、それは、アンテナ６５２を介して送信されることができる。ＵＥ１１０で、ノードＢ１２０からのダウンリンク信号は、アンテナ６１８によって受信され、受信機６３２によって調整され、送信プロセッサ６３４によって復調および復号され、ＵＥ１１０に送られたデータおよび制御情報をリカバーすることができる。
【０１３８】
制御装置／プロセッサ６２０および６６０は、それぞれ、ＵＥ１１０およびノードＢ１２０での動作を指示することができる。ＵＥ１１０のプロセッサ６２０および／または他のプロセッサおよびモジュールは、図４のプロセス４００および／またはここに説明された手法の他のプロセスを実行または指示することができる。スケジューラ６６４は、図６に示されているようにノードＢ１２０の一部であることができ、ダウンリンクおよび／またはアップリンクのデータ伝送のためにＵＥをスケジューリングすることができ、および、スケジューリングされたＵＥにリソースを割り当てることができる。ノードＢ１２０のスケジューラ６６４および／または他のプロセッサおよびモジュールは、図３のプロセス３００、図５のプロセス５００、および／またはここに説明された手法の他のプロセスを実行または指示することができる。スケジューラ６６４は、さらに（図６には示していないが）ノードＢ１２０の外部にあることができる。メモリ６２２および６６２は、それぞれ、ＵＥ１１０およびノードＢ１２０のためのプログラムコードおよびデータを記憶することができる。
【０１３９】
当業者は、情報および信号が任意のさまざまな異なる技術および手法を使用して表されうるということを、理解するであろう。たとえば、上記の説明を通して言及されうるデータ、命令、コマンド、情報、信号、ビット、シンボル、およびチップは、電圧、電流、電磁波、磁場または磁性粒子、光場または光粒子、または任意のそれらの組み合わせによって表されることができる。
【０１４０】
当業者は、ここでの開示に関連して説明された、さまざまな例示的な論理ブロック、モジュール、回路、およびアルゴリズムのステップが、電子ハードウェア、コンピュータソフトウェア、または両者の組み合わせとして実現されうるということを、さらに理解するであろう。ハードウェアとソフトウェアとの、この相互互換性をわかりやすく示すために、さまざまな例示的なコンポーネント、ブロック、モジュール、回路、およびステップが、概してそれらの機能の点で、上述されている。そのような機能がハードウェアまたはソフトウェアとして実現されるかどうかは、システム全体に課された特定の用途および設計の制約による。当業者は、特定の用途ごとに異なる方法で、説明された機能を実現することができるが、そのような実現の決定は、本開示の範囲から逸脱を生じるものと解釈されるべきではない。
【０１４１】
ここでの開示に関連して説明された、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、またはここに説明された機能を実行するように設計された、それらの任意の組み合わせを用いて、実現または実行されることができる。汎用プロセッサは、マイクロプロセッサであることができるが、あるいは、プロセッサは、任意の従来のプロセッサ、制御装置、マイクロ制御装置、またはステートマシンであることができる。プロセッサは、また、コンピュータデバイスの組み合わせ、例えば、ＤＳＰと、１つのマイクロプロセッサ、複数のマイクロプロセッサ、ＤＳＰコア併用型の１つ以上のマイクロプロセッサとの組み合わせ、または任意の他のそのような構成として実現されることができる。
【０１４２】
ここでの開示に関連して説明された方法またはアルゴリズムのステップは、ハードウェアで直接的に、プロセッサによって実行されるソフトウェアモジュールにおいて、または、両者の組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体の中に存在することができる。例示的な記憶媒体は、プロセッサが記憶媒体から情報を読み出し、記憶媒体に情報を書き込むことができるように、プロセッサに結合される。あるいは、記憶媒体は、プロセッサに組み込まれることができる。プロセッサおよび記憶媒体は、ＡＳＩＣの中に存在することができる。ＡＳＩＣは、ユーザ端末の中に存在することができる。あるいは、プロセッサおよび記憶媒体は、ユーザ端末の中の離散コンポーネントとして存在することができる。
【０１４３】
１つ以上の例示的な設計において、説明された機能は、ハードウェア、ソフトウェア、ファームウェア、またはそれらの任意の組み合わせにおいて実現されることができる。ソフトウェアにおいて実現される場合、機能は、コンピュータ可読媒体上の１つ以上の命令またはコードとして、記憶または伝送されることができる。コンピュータ可読媒体は、ある場所から別の場所へのコンピュータプログラムの転送を容易にする任意の媒体を含む通信媒体およびコンピュータ記憶媒体の両方を含む。記憶媒体は、汎用または専用コンピュータによってアクセス可能な任意の利用可能な媒体であることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または、汎用または専用コンピュータ、または、汎用または専用プロセッサによってアクセスされることができ、かつ、命令またはデータ構造の形態で所望のプログラムコード手段を搬送または記憶するために使用されることができる、任意の他の媒体を備えることができる。また、任意の接続も、厳密にはコンピュータ可読媒体と呼ばれる。たとえば、ソフトウェアが、同軸ケーブル、光ファイバーケーブル、ツイストペア、デジタル加入者回線（ＤＳＬ）、または、赤外線、無線、およびマイクロ波といった無線技術を使用して、ウェブサイト、サーバー、または他のリモートソースから伝送される場合には、同軸ケーブル、光ファイバーケーブル、ツイストペア、ＤＳＬ、または赤外線、無線、およびマイクロ波といった無線技術が、媒体の定義に含まれる。ディスク（disk）およびディスク（disc）は、ここに使用される場合、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、磁気的にデータを再生するが、ディスク（disc）は、レーザーによって光学的にデータを再生する。上記したものの組み合わせも、また、コンピュータ可読媒体の範囲内に含まれるべきである。
【０１４４】
本開示の先の説明は、本開示を製造または使用することを当業者に可能にさせるように提供されている。本開示へのさまざまな変更が、当業者には容易に明らかになるであろうし、ここに定義された一般的な原理は、本開示の精神または範囲から逸脱することなく他の変形例に適用されることができる。したがって、本開示は、ここに説明された例および設計に限定されるものではなく、ここに開示された原理および新規な特徴と一致する最も広い範囲が与えられるべきである。
以下に本件出願当初の特許請求の範囲に記載された発明を付記する。
［Ｃ１］
ユーザ機器（ＵＥ）からの、各キャリアつき１つの要求電力ヘッドルームの、複数のキャリアに対する要求電力ヘッドルームを受信することと、ここで、各要求電力ヘッドルームは、関連づけられたキャリアでの送信のために前記ＵＥによって使用可能な送信電力を示す、
前記複数のキャリアに対する再分配電力ヘッドルームを得るために、前記複数のキャリアにわたって、前記要求電力ヘッドルームを再分配することと、
前記複数のキャリアに対する前記再分配電力ヘッドルームに基づいて、アップリンクのデータ送信に前記ＵＥをスケジューリングすることと、
を備える、無線通信システムにおいてデータ送信をスケジューリングする方法。
［Ｃ２］
前記複数のキャリアに対する前記要求電力ヘッドルームは、前記複数のキャリアにわたって均等に前記ＵＥのための最大送信電力を分配することにより、前記ＵＥによって得られる、
［Ｃ１］に記載の方法。
［Ｃ３］
前記要求電力ヘッドルームを前記再分配することは、前記複数のキャリアにわたって不均等に前記要求電力ヘッドルームを再分配することを備える、
［Ｃ１］に記載の方法。
［Ｃ４］
前記要求電力ヘッドルームを前記再分配することは、前記複数のキャリアのチャネル状況に基づいて前記複数のキャリアに前記要求電力ヘッドルームを再分配することを備え、より良好なチャネル状況を有するキャリアには、より高い電力ヘッドルームが割り当てられる、
［Ｃ１］に記載の方法。
［Ｃ５］
前記要求電力ヘッドルームを前記再分配することは、前記複数のキャリアの各々の負荷およびターゲット負荷に基づいて、前記複数のキャリアに前記要求電力ヘッドルームを再分配することを備える、
［Ｃ１］に記載の方法。
［Ｃ６］
前記要求電力ヘッドルームを前記再分配することは、ウォーターフィリングに基づいて前記複数のキャリアにわたって前記要求電力ヘッドルームを再分配することを備える、［Ｃ１］に記載の方法。
［Ｃ７］
前記要求電力ヘッドルームを前記再分配することは、データレート対電力ヘッドルームの容量関数にさらに基づいて、前記複数のキャリアにわたって前記要求電力ヘッドルームを再分配することを備える、
［Ｃ６］に記載の方法。
［Ｃ８］
前記容量関数は、第１の離散関数によって近似される、または、前記容量関数の偏導関数が第２の離散関数によって近似される、または、その両方である、
［Ｃ７］に記載の方法。
［Ｃ９］
前記要求電力ヘッドルームを前記再分配することは、
ウォーターフィリングのための状況のセットに基づいて、複数の可能性のある割り当てのうちの１つを選択することと、
前記選択された割り当てにしたがって、前記複数のキャリアに前記要求電力ヘッドルームを再分配することと、
を備える、［Ｃ６］に記載の方法。
［Ｃ１０］
前記要求電力ヘッドルームを前記再分配することは、グリーディフィリングに基づいて、前記複数のキャリアにわたって前記要求電力ヘッドルームを再分配することを備える、［Ｃ１］に記載の方法。
［Ｃ１１］
前記要求電力ヘッドルームを前記再分配することは、
前記複数のキャリアのチャネル状況に基づいて、最良から最悪まで、前記複数のキャリアを順序づけることと、
前記複数のキャリアのうちの最良のキャリアに始まり、電力ヘッドルームを割り当てるために、一度に１つのキャリアを選択することと、
前記選択されたキャリアに対する再分配電力ヘッドルームとして、最大許容電力ヘッドルームを割り当てることと、
前記要求電力ヘッドルームが完全に使用されるまで、または、すべてのサブキャリアが電力ヘッドルームを割り当てられるまで、前記選択することおよび前記割り当てることを繰り返すことと
を備える、［Ｃ１］に記載の方法。
［Ｃ１２］
前記要求電力ヘッドルームを前記再分配することは、前記システムによってサポートされる最高データレートでの最大電力ヘッドルームに、各キャリアに対する再分配電力ヘッドルームを制限することを備える、
［Ｃ１］に記載の方法。
［Ｃ１３］
前記要求電力ヘッドルームを前記再分配することは、前記キャリアでの利用可能な負荷によって決定された最大電力ヘッドルームに、各キャリアに対する再分配電力ヘッドルームを制限することを備える、
［Ｃ１］に記載の方法。
［Ｃ１４］
前記ＵＥによって送信するためのデータを示す待ち行列情報を受信することをさらに備え、
前記ＵＥは、前記待ち行列情報にさらに基づいて前記アップリンクでのデータ送信にスケジューリングされる、
［Ｃ１］に記載の方法。
［Ｃ１５］
データ送信に前記ＵＥを前記スケジューリングすることは、
前記複数のキャリアの各々について別々にスケジューリングを行なうことと、
少なくとも１つのキャリアの各々に、前記キャリアに対する再分配電力ヘッドルームに基づいて許可電力ヘッドルームを割り当てることと、
を備える、［Ｃ１］に記載の方法。
［Ｃ１６］
データ送信に前記ＵＥを前記スケジューリングすることは、
前記アップリンクでのデータ送信を要求する複数のＵＥを、前記複数のＵＥの優先順位に基づいて並べ替えることと、ここで、前記複数のＵＥは、前記ＵＥを含む、
前記複数のＵＥのうちの最も高い優先順位のＵＥに始まり、スケジューリングのために一度に１つのＵＥを選択することと、
前記選択されたＵＥに、前記複数のキャリアのうちの少なくとも１つに対する少なくとも１つの許可電力ヘッドルームを割り当てることと、
を備える、［Ｃ１］に記載の方法。
［Ｃ１７］
前記再分配することおよび前記スケジューリングすることは、前記アップリンクでのデータ送信を要求する複数のＵＥのために複数の反復にわたって行なわれ、前記複数のＵＥは、前記ＵＥを含み、各反復で、前記再分配することは、前記複数のキャリアの各々のための利用可能な負荷に基づいて行なわれ、前記スケジューリングすることは、前記反復において最も高い優先順位のＵＥのために行なわれる、
［Ｃ１］に記載の方法。
［Ｃ１８］
データ送信に前記ＵＥを前記スケジューリングすることは、前記複数のキャリアに対する前記再分配電力ヘッドルームに基づいて前記ＵＥに前記複数のキャリアのうちの少なくとも１つに対する少なくとも１つの許可電力ヘッドルームを割り当てることを備え、キャリアに対する許可電力ヘッドルームは、前記キャリアに対する要求電力ヘッドルームよりも高い、
［Ｃ１］に記載の方法。
［Ｃ１９］
ユーザ機器（ＵＥ）からの、各キャリアにつき１要求電力ヘッドルームの、複数のキャリアに対する要求電力ヘッドルームを受信するための手段と、ここで、各要求電力ヘッドルームは、関連づけられたキャリアでの送信のために前記ＵＥによって使用可能な送信電力を示す、
前記複数のキャリアに対する再分配電力ヘッドルームを得るために前記複数のキャリアにわたって前記要求電力ヘッドルームを再分配するための手段と、
前記複数のキャリアに対する前記再分配電力ヘッドルームに基づいて、アップリンクでのデータ送信に前記ＵＥをスケジューリングするための手段と、
を備える、無線通信システムにおいてデータ送信をスケジューリングするための装置。
［Ｃ２０］
前記要求電力ヘッドルームを前記再分配するための手段は、前記複数のキャリアのチャネル状況に基づいて前記複数のキャリアに前記要求電力ヘッドルームを再分配するための手段を備え、より良好なチャネル状況を有するキャリアには、より高い電力ヘッドルームが割り当てられる、
［Ｃ１９］に記載の装置。
［Ｃ２１］
前記要求電力ヘッドルームを前記再分配するための手段は、ウォーターフィリングまたはグリーディフィリングに基づいて、前記複数のキャリアにわたって前記要求電力ヘッドルームを再分配するための手段を備える、
［Ｃ１９］に記載の装置。
［Ｃ２２］
前記要求電力ヘッドルームを前記再分配するための手段は、各キャリアに対する再分配電力ヘッドルームを、前記システムによってサポートされる最高データレートでの最大電力ヘッドルームに、または、前記キャリアでの利用可能な負荷によって決定された最大電力ヘッドルームに、または、その両方に、制限するための手段を備える、［Ｃ１９］に記載の装置。
［Ｃ２３］
ユーザ機器（ＵＥ）からの、各キャリアにつき１つの要求電力ヘッドルームの、複数のキャリアに対する要求電力ヘッドルームを受信するように、ここで、各要求電力ヘッドルームは、関連づけられたキャリアでの送信のために前記ＵＥによって使用可能な送信電力を示す、前記複数のキャリアに対する再分配電力ヘッドルームを得るために前記複数のキャリアにわたって前記要求電力ヘッドルームを再分配するように、前記複数のキャリアに対する前記再分配電力ヘッドルームに基づいてアップリンクでのデータ送信に前記ＵＥをスケジューリングするように、構成された少なくとも１つのプロセッサ
を備える、無線通信システムにおいてデータ送信をスケジューリングするための装置。
［Ｃ２４］
前記少なくとも１つのプロセッサは、前記複数のキャリアのチャネル状況に基づいて前記複数のキャリアに前記要求電力ヘッドルームを再分配するように構成され、より良好なチャネル状況を有するキャリアには、より高い電力ヘッドルームが割り当てられる、
［Ｃ２３］に記載の装置。
［Ｃ２５］
前記少なくとも１つのプロセッサは、ウォーターフィリングまたはグリーディフィリングに基づいて、前記複数のキャリアにわたって前記要求電力ヘッドルームを再分配するように構成されている、
［Ｃ２３］に記載の装置。
［Ｃ２６］
前記少なくとも１つのプロセッサは、各キャリアに対する再分配電力ヘッドルームを、前記システムによってサポートされる最高データレートでの最大電力ヘッドルームに、または、前記キャリアでの利用可能な負荷によって決定された最大電力ヘッドルームに、または、その両方に、制限するように構成されている、
［Ｃ２３］に記載の装置。
［Ｃ２７］
ユーザ機器（ＵＥ）からの、各キャリアにつき１要求電力ヘッドルームの、複数のキャリアに対する要求電力ヘッドルームを受信するように、少なくとも１つのコンピュータにさせるためのコードであって、各要求電力ヘッドルームは、関連づけられたキャリアでの送信のために前記ＵＥによって使用可能な送信電力を示す、コードと、
前記複数のキャリアに対する再分配電力ヘッドルームを得るために前記複数のキャリアにわたって前記要求電力ヘッドルームを再分配するように、前記少なくとも１つのコンピュータにさせるためのコードと、
前記複数のキャリアに対する前記再分配電力ヘッドルームに基づいて、アップリンクでのデータ送信に前記ＵＥをスケジューリングするように、前記少なくとも１つのコンピュータにさせるためのコードと、
を備えるコンピュータ可読媒体、
を備えるコンピュータプログラム製品。
［Ｃ２８］
各キャリアにつき１つの要求電力ヘッドルームの、複数のキャリアに対する要求電力ヘッドルームを決定することと、ここで、各要求電力ヘッドルームは、関連づけられたキャリアでの送信のためにユーザ機器（ＵＥ）によって使用可能な送信電力を示す、
前記ＵＥによって送信するためのデータを示す待ち行列情報を決定することと、
前記複数のキャリアに対する前記要求電力ヘッドルームおよび前記待ち行列情報を送ることと、
を備える、無線通信のための方法。
［Ｃ２９］
前記複数のキャリアに対する前記要求電力ヘッドルームを前記決定することは、
前記複数のキャリアの各々に対する割り当て送信電力を得るために、前記複数のキャリアにわたって均等に前記ＵＥのための最大送信電力を分配することと、
前記キャリアに対する前記割り当て送信電力に基づいて、前記複数のキャリアの各々に対する要求電力ヘッドルームを決定することと、
を備える、［Ｃ２８］に記載の方法。
［Ｃ３０］
各キャリアにつき１つのリソース要求の、前記複数のキャリアに対する複数のリソース要求を生成することと、ここで、各キャリアに対する前記リソース要求は、前記キャリアに対する要求電力ヘッドルームを含む、
をさらに備える、［Ｃ２８］に記載の方法。
［Ｃ３１］
前記複数のリソース要求の各々は、前記待ち行列情報を備える、
［Ｃ３０］に記載の方法。
［Ｃ３２］
前記複数のリソース要求のうちの１つのみが前記待ち行列情報を備える、
［Ｃ３０］に記載の方法。
［Ｃ３３］
前記複数のキャリアのうちの少なくとも１つのキャリアに対する少なくとも１つの許可電力ヘッドルームを含む少なくとも１つのリソース許可を受信することと、
前記少なくとも１つの許可電力ヘッドルームにしたがって前記少なくとも１つのキャリアでデータを送ることと、
をさらに備える、［Ｃ２８］に記載の方法。
［Ｃ３４］
各キャリアにつき１つの要求電力ヘッドルームの、複数のキャリアに対する要求電力ヘッドルームを決定するための手段と、ここで各要求電力ヘッドルームは、関連づけられたキャリアでの送信のためにユーザ機器（ＵＥ）によって使用可能な送信電力を示す、
前記ＵＥによって送信するためのデータを示す待ち行列情報を決定するための手段と、  前記複数のキャリアに対する前記要求電力ヘッドルームおよび前記待ち行列情報を送るための手段と、
を備える、無線通信のための装置。
［Ｃ３５］
前記複数のキャリアに対する前記要求電力ヘッドルームを前記決定するための手段は、  前記複数のキャリアの各々に対する割り当て送信電力を得るために、前記複数のキャリアにわたって均等に前記ＵＥのための最大送信電力を再分配するための手段と、
前記キャリアに対する前記割り当て送信電力に基づいて前記複数のキャリアの各々に対する要求電力ヘッドルームを決定するための手段と、
を備える、［Ｃ３４］に記載の装置。
［Ｃ３６］
各キャリアにつき１つのリソース要求の、前記複数のキャリアに対する複数のリソース要求を生成するための手段をさらに備え、各キャリアに対する前記リソース要求が、前記キャリアに対する要求電力ヘッドルームを含む、
をさらに含む、［Ｃ３４］に記載の装置。
［Ｃ３７］
前記複数のキャリアのうちの少なくとも１つのキャリアに対する少なくとも１つの許可電力ヘッドルームを備える少なくとも１つのリソース許可を受信するための手段と、
前記少なくとも１つの許可電力ヘッドルームにしたがって前記少なくとも１つのキャリアでデータを送るための手段と、
をさらに備える、［Ｃ３４］に記載の装置。
［Ｃ３８］
ユーザ機器（ＵＥ）による複数のキャリアでのデータ送信のための利用可能な合計送信電力を決定することと、
前記複数のキャリアの各々のための利用可能な送信電力を得るために、前記複数のキャリアにわたって不均等に前記利用可能な合計送信電力を分配することと、
前記複数のキャリアの各々のための前記利用可能な送信電力に基づいてアップリンクでのデータ送信に前記ＵＥをスケジューリングすることと、
を備える、無線通信システムにおいてデータ送信をスケジューリングする方法。
［Ｃ３９］
各キャリアにつき１つの要求電力ヘッドルームの、前記ＵＥからの前記複数のキャリアに対する要求電力ヘッドルームを受信することをさらに備え、各要求電力ヘッドルームは、関連づけられたキャリアでの送信のために前記ＵＥによって使用可能な送信電力を示し、
前記利用可能な合計送信電力は、前記要求電力ヘッドルームに基づいて決定される、
［Ｃ３８］に記載の方法。
［Ｃ４０］
前記利用可能な合計送信電力を前記分配することは、ウォーターフィリングまたはグリーディフィリングに基づいて前記複数のキャリアにわたって前記利用可能な合計送信電力を分配することを備える、［Ｃ３８］に記載の方法。
［Ｃ４１］
前記利用可能な合計送信電力は、前記複数のキャリアのチャネル状況に基づいて前記複数のキャリアにわたって分配され、より良好なチャネル状況を有するキャリアには、より多くの送信電力が割り当てられる、
［Ｃ３８］に記載の方法。
［Ｃ４２］
データ送信に前記ＵＥを前記スケジューリングすることは、前記キャリアに対する前記利用可能な送信電力に基づいて、少なくとも１つのキャリアの各々に対する許可送信電力を割り当てることを含む、
［Ｃ３８］に記載の方法。
［Ｃ４３］
前記キャリアに対する前記許可送信電力に基づいて、前記少なくとも１つのキャリアの各々に対する許可電力ヘッドルームを決定することと、
前記ＵＥに、前記少なくとも１つのキャリアの各々に対する前記許可電力ヘッドルームを示す情報を送ることと、
をさらに備える、［Ｃ４２］に記載の方法。
［Ｃ４４］
ユーザ機器（ＵＥ）による複数のキャリアでのデータ送信のための利用可能な合計送信電力を決定するための手段と、
前記複数のキャリアの各々のための利用可能な送信電力を得るために、前記複数のキャリアにわたって不均等に前記利用可能な合計送信電力を分配するための手段と、
前記複数のキャリアの各々に対する前記利用可能な送信電力に基づいて、アップリンクのデータ送信に前記ＵＥをスケジューリングするための手段と、
を備える、無線通信におけるデータ送信をスケジューリングするための装置。
［Ｃ４５］
各キャリアにつき１つの要求電力ヘッドルームの、前記ＵＥからの前記複数のキャリアに対する要求電力ヘッドルームを受信するための手段をさらに備え、各要求電力ヘッドルームは、関連づけられたキャリアでの送信のために前記ＵＥによって利用可能な送信電力を示し、前記利用可能な合計送信電力は、前記要求電力ヘッドルームに基づいて決定される、
［Ｃ４４］に記載の装置。
［Ｃ４６］
前記利用可能な合計送信電力を前記分配するための手段は、ウォーターフィリングまたはグリーディフィリングに基づいて前記複数のキャリアにわたって前記利用可能な合計送信電力を分配するための手段を備える、
［Ｃ４４］に記載の装置。
［Ｃ４７］
前記利用可能な合計送信電力は、前記複数のキャリアのチャネル状況に基づいて前記複数のキャリアにわたって分配され、より良好なチャネル状況を有するキャリアには、より多くの送信電力が割り当てられる、
［Ｃ４４］に記載の装置。
［Ｃ４８］
データ送信に前記ＵＥを前記スケジューリングするための手段は、前記キャリアに対する前記利用可能な送信電力に基づいて、少なくとも１つのキャリアの各々に対する許可送信電力を割り当てるための手段を備える、
［Ｃ４４］に記載の装置。
［Ｃ４９］
前記キャリアに対する前記許可送信電力に基づいて、前記少なくとも１つのキャリアの各々に対する許可電力ヘッドルームを決定するための手段と、
前記ＵＥに、前記少なくとも１つのキャリアの各々に対する前記許可電力ヘッドルームを示す情報を送るための手段と、
をさらに備える、［Ｃ４８］に記載の装置。
【図１】
0005313365.tif 000047
【図２】
0005313365.tif 000048
【図３】
0005313365.tif 000049
【図４】
0005313365.tif 000050
【図５】
0005313365.tif 000051
【図６】
0005313365.tif 000052